(57)【要約】【課題】被写体の人物情報を画像に容易に登録して、望ましい人物が被写体として写っている画像を選択してアルバムを作成すること。【解決手段】本発明に係る撮像装置は、画像を撮像する撮像部と、撮像部が撮像した画像に人物が含まれるか否かを判断する人物判断部と、人物判断部が画像に人物が含まれると判断した場合に撮像部が撮像した画像に含まれる人物を入力すべき旨をユーザに対して通知する入力通知部と、入力通知部が入力すべき旨をユーザに対して通知した後の所定のタイミングまでの間に、撮像部が撮像した画像に含まれる人物を示す人物識別情報をユーザに入力させる人物識別情報入力部と、人物識別情報入力部から人物識別情報が入力された場合に、撮像部によって最後に撮像された画像に対応づけて、人物識別情報入力部から入力された人物識別情報を格納する画像格納部とを備える。【選択図】図２
2006295889.tif 000002
【特許請求の範囲】
【請求項１】
画像を撮像する撮像部と、
前記撮像部が撮像した画像に人物が含まれるか否かを判断する人物判断部と、
前記人物判断部が画像に人物が含まれると判断した場合に前記撮像部が撮像した画像に含まれる人物を入力すべき旨をユーザに対して通知する入力通知部と、
前記入力通知部が入力すべき旨をユーザに対して通知した後の所定のタイミングまでの間に、前記撮像部が撮像した画像に含まれる人物を示す人物識別情報をユーザに入力させる人物識別情報入力部と、
前記人物識別情報入力部から人物識別情報が入力された場合に、前記撮像部によって最後に撮像された画像に対応づけて、前記人物識別情報入力部から入力された人物識別情報を格納する画像格納部と
を備える撮像装置。
【請求項２】
前記人物判断部が画像に人物が含まれると判断した場合に、前記撮像部によって新たに撮像された画像に含まれる人物画像を抽出する人物画像抽出部と、
前記人物画像抽出部が抽出した人物画像を前記画像格納部が格納している画像と比較することによって、前記撮像部によって新たに撮像された画像に含まれる人物を示す人物識別情報を検索する人物識別情報検索部と
をさらに備え、
前記画像格納部は、前記撮像部によって新たに撮像された画像に対応づけて、前記人物識別情報検索部が検索した人物識別情報を格納する
請求項１に記載の撮像装置。
【請求項３】
前記人物識別情報検索部が検索した人物識別情報が示す人物をユーザに通知する検索人物通知部と、
前記検索人物通知部が通知した人物が前記撮像部によって新たに撮像された画像に含まれる人物であるか否かの確認情報をユーザに入力させる確認情報入力部と、
前記確認情報入力部から入力された確認情報が、前記検索人物通知部が通知した人物が前記撮像部によって新たに撮像された画像に含まれる人物であることを示す場合に、前記撮像部によって新たに撮像された画像に対応づけて、前記人物識別情報検索部が検索した人物識別情報を前記画像格納部に格納させる画像格納制御部と
をさらに備える請求項２に記載の撮像装置。
【請求項４】
同一の画像に存在する蓋然性が高い複数の人物の人物識別情報を互いに対応づけて格納する関連人物情報格納部
をさらに備え、
前記人物画像抽出部が前記撮像部によって新たに撮像された画像から複数の人物を抽出した場合であって、前記画像格納部が、前記人物画像抽出部が抽出した第１の人物の人物識別情報を格納しており、前記人物画像抽出部が抽出した第２の人物の人物識別情報を格納していない場合、
前記人物画像抽出部は、前記撮像部によって新たに撮像された画像に含まれる前記第１の人物の人物画像を抽出し、
前記人物識別情報検索部は、前記人物画像抽出部が抽出した第１の人物の人物画像を前記画像格納部が格納している画像と比較することによって、前記第１の人物を示す人物識別情報を検索し、さらに検索された前記第１の人物を示す人物識別情報に対応づけて前記関連人物情報格納部が格納している人物識別情報を前記第２の人物の人物識別情報として検索する
請求項２に記載の撮像装置。
【請求項５】
少なくとも一の人物を示す人物識別情報をそれぞれ含む複数の人物群が記録された人物群記録部と、
前記人物識別情報入力部から人物識別情報が入力されなかった場合に、前記人物群記録部に記録された少なくとも一の人物群をユーザに通知してユーザに選択させる人物群選択部と、
前記人物群選択部によって選択された人物群に含まれる少なくとも一の人物を示す人物識別情報をユーザに通知して選択させる人物識別情報選択部と
をさらに備え、
前記画像格納部は、前記撮像部によって最後に撮像された画像に対応づけて、前記人物識別情報選択部で選択された人物識別情報を格納する
請求項１に記載の撮像装置。
【請求項６】
画像を撮像する撮像段階と、
前記撮像段階において撮像された画像に人物が含まれるか否かを判断する人物判断段階と、
前記人物判断段階において画像に人物が含まれると判断された場合に、前記撮像段階において撮像された画像に含まれる人物を入力すべき旨をユーザに対して通知する入力通知段階と、
前記入力通知段階において入力すべき旨をユーザに対して通知された後の所定のタイミングまでの間に、前記撮像段階において撮像された画像に含まれる人物を示す人物識別情報をユーザに入力させる人物識別情報入力段階と、
前記人物識別情報入力段階において人物識別情報が入力された場合に、前記撮像段階において最後に撮像された画像に対応づけて、前記人物識別情報入力段階において入力された人物識別情報を格納する画像格納段階と
を備える撮像方法。
【請求項７】
画像を撮像する撮像装置用のプログラムであって、前記撮像装置を、
画像を撮像する撮像部、
前記撮像部が撮像した画像に人物が含まれるか否かを判断する人物判断部、
前記人物判断部が画像に人物が含まれると判断した場合に前記撮像部が撮像した画像に含まれる人物を入力すべき旨をユーザに対して通知する入力通知部、
前記入力通知部が入力すべき旨をユーザに対して通知した後の所定のタイミングまでの間に、前記撮像部が撮像した画像に含まれる人物を示す人物識別情報をユーザに入力させる人物識別情報入力部、
前記人物識別情報入力部から人物識別情報が入力された場合に、前記撮像部によって最後に撮像された画像に対応づけて、前記人物識別情報入力部から入力された人物識別情報を格納する画像格納部
として機能させるプログラム。
【請求項８】
画像に対応づけて、当該画像に含まれる人物を示す人物識別情報を格納する画像格納部と、
関連性が高い人物同士の人物識別情報が対応づけられた関連人物情報を格納する関連人物情報格納部と、
前記関連人物情報格納部が格納している関連人物情報に基づいて、ユーザに指定された人物である指定人物と関連性の高い人物の人物識別情報を抽出する関連人物情報抽出部と、
前記関連人物情報抽出部が抽出した人物識別情報に対応づけて前記画像格納部が格納している画像を選択する画像選択部と、
前記画像選択部が選択した画像を含むアルバムを作成するアルバム作成部と
を備えるアルバム作成装置。
【請求項９】
前記指定人物を示す人物識別情報に対応づけて前記画像格納部が格納している画像である指定人物画像を抽出する指定人物画像抽出部
をさらに備え、
前記アルバム作成部は、
前記画像選択部が選択した画像である関連人物画像と、前記指定人物画像抽出部が抽出した指定人物画像とを、アルバムの異なるページに分類する画像分類部と、
前記画像分類部がアルバムの各ページに分類した画像を用いて、アルバムの各ページを生成するアルバム生成部と
を有する請求項８に記載のアルバム作成装置。
【請求項１０】
前記指定人物を示す人物識別情報に対応づけて前記画像格納部が格納している画像である指定人物画像を抽出する指定人物画像抽出部
をさらに備え、
前記関連人物情報抽出部は、前記関連人物情報格納部が格納している関連人物情報に基づいて、前記指定人物と関連性の高い第１人物及び第２人物の人物識別情報を抽出し、
前記画像選択部は、前記関連人物情報抽出部が抽出した第１人物を示す人物識別情報に対応づけて前記画像格納部が格納している画像である第１関連人物画像及び第２人物を示す人物識別情報に対応づけて前記画像格納部が格納している画像である第２関連人物画像を選択し、
前記アルバム作成部は、
前記画像選択部が選択した第１関連人物画像と前記指定人物画像抽出部が抽出した指定人物画像とをアルバムの一のページに分類し、前記画像選択部が選択した第２関連人物画像と前記指定人物画像抽出部が抽出した指定人物画像とをアルバムの他のページに分類する画像分類部と、
前記画像分類部が各ページに分類した画像を用いて、アルバムにおける各ページを生成するアルバム生成部と
を有する請求項８に記載のアルバム作成装置。
【請求項１１】
前記指定人物を示す人物識別情報に対応づけて前記画像格納部が格納している画像である指定人物画像を抽出する指定人物画像抽出部
をさらに備え、
前記関連人物情報抽出部は、前記関連人物情報格納部が格納している関連人物情報に基づいて、前記指定人物と関連性の高い第１人物及び第２人物の人物識別情報を抽出し、
前記画像選択部は、前記関連人物情報抽出部が抽出した第１人物を示す人物識別情報に対応づけて前記画像格納部が格納している画像である第１関連人物画像及び第２人物を示す人物識別情報に対応づけて前記画像格納部が格納している画像である第２関連人物画像を選択し、
前記アルバム作成部は、
前記指定人物画像抽出部が抽出した指定人物画像と、前記画像選択部が選択した第１関連人物画像及び第２関連人物画像とを、アルバムの同一ページに分類する画像分類部と、
前記画像分類部がアルバムの同一ページに分類した指定人物画像、第１関連人物画像、及び第２関連人物画像を用いて、当該ページを生成するアルバム生成部と
を有する請求項８に記載のアルバム作成装置。
【請求項１２】
前記画像分類部は、前記関連人物情報格納部が格納している関連人物情報に基づいて、同一ページにおいて第１人物が含まれる数と第２人物が含まれる数とが略同一になるように、第１関連人物画像及び第２関連人物画像を各ページに分類する
請求項１１に記載のアルバム作成装置。
【請求項１３】
前記アルバム作成部は、
前記関連人物情報格納部が格納している関連人物情報に基づいて、前記画像格納部が格納している画像に含まれる第１人物及び第２人物が占める面積を算出する面積算出部
をさらに有し、
前記画像分類部は、前記関連人物情報格納部が格納している関連人物情報及び前記面積算出部が算出した面積に基づいて、同一ページにおける前記第１人物の面積と前記第２人物の面積とが略同一になるように、第１関連人物画像及び第２関連人物画像を各ページに分類する
請求項１１に記載のアルバム作成装置。
【請求項１４】
前記アルバム作成部は、
前記関連人物情報格納部が格納している関連人物情報に基づいて、前記画像分類部がページ毎に分類した第１関連人物画像及び第２関連人物画像に含まれる第１人物及び第２人物が占める面積をページ毎に算出する面積算出部
をさらに有し、
前記アルバム生成部は、前記面積算出部が算出した、同一ページにおいて第１人物が占める面積と第２人物が占める面積とが略同一となるように、第１人物画像及び第２人物画像を拡大又は縮小してアルバムを生成する
請求項１１に記載のアルバム作成装置。
【請求項１５】
前記関連人物情報格納部は、関連性が高い人物同士の人物識別情報が対応づけられた関連人物情報を、当該人物同士の関連性の高さに対応づけて格納しており、
前記関連人物情報抽出部は、前記指定人物との関連性が高い第１人物を示す人物識別情報と、第１人物より前記指定人物との関連性が低い第２人物を示す人物識別情報を抽出し、
前記画像選択部は、前記関連人物情報抽出部が抽出した第１人物を示す人物識別情報に対応づけて前記画像格納部が格納している画像である第１関連人物画像及び第２人物を示す人物識別情報に対応づけて前記画像格納部が格納している画像である第２関連人物画像を選択し、
前記アルバム作成部は、前記画像選択部が選択した第１関連人物画像及び第２関連人物画像を含むページにおいて、第１関連人物画像を前記第２関連人物画像より強調してレイアウトする
請求項８に記載のアルバム作成装置。
【請求項１６】
前記アルバム作成部は、前記関連人物情報格納部が格納している関連人物情報に基づいて、第１関連人物画像及び第２関連人物画像を含むページに含まれる第１人物の数が、当該ページに含まれる第２人物の数より多くなるよう、当該ページに用いる第１関連人物画像及び第２関連人物画像を選択する
を有する請求項１５に記載のアルバム作成装置。
【請求項１７】
前記アルバム作成部は、
前記関連人物情報格納部が格納している関連人物情報及び前記画像格納部が格納している画像に基づいて、第１関連人物画像及び第２関連人物画像を含むページにおいて第１人物が占める面積及び第２人物が占める面積を算出する面積算出部と、
前記面積算出部が算出した第１人物が占める面積が、第２人物が占める面積より大きくなるよう、当該ページに用いる前記第１関連人物画像及び前記第２関連人物画像を選択するアルバム生成部と
を有する請求項１５に記載のアルバム作成装置。
【請求項１８】
前記関連人物情報格納部は、当該人物同士が親族関係にある場合に、親族関係がより近いほどより高い関連性の高さに対応づけて関連人物情報を格納する
請求項１５に記載のアルバム作成装置。
【請求項１９】
前記関連人物情報格納部は、アルバムの閲覧者を示す人物識別情報が対応づけられた関連人物情報を、アルバムの閲覧者を示す人物識別情報が対応づけられていない関連人物情報より高い関連性の高さに対応づけて格納する
請求項１５に記載のアルバム作成装置。
【請求項２０】
前記アルバム作成部は、
前記関連人物情報格納部が格納している関連人物情報に基づいて、前記画像選択部が選択した一の画像に前記指定人物及び前記関連性の高い人物がともに含まれるか否かを判断する人物判断部と、
前記画像選択部が選択した一の画像に前記指定人物及び前記関連性の高い人物がともに含まれると前記人物判断部が判断した場合に、当該画像から、前記指定人物及び前記関連性の高い人物を含み、前記指定人物が強調してトリミングされたトリミング画像を生成するトリミング画像生成部と、
前記トリミング画像生成部が生成したトリミング画像を用いてアルバムを生成するアルバム生成部と
を有する
請求項８に記載のアルバム作成装置。
【請求項２１】
前記関連人物情報格納部は、関連性が高い人物同士の人物識別情報が対応づけられた関連人物情報を、当該人物同士の関連性の高さに対応づけて格納しており、
前記アルバム作成部は、
前記関連人物情報格納部が格納している関連人物情報に基づいて、前記画像選択部が選択した一の画像に、第１人物及び第１人物より前記指定人物との関連性が低い第２人物がともに含まれるか否かを判断する人物判断部と、
前記画像選択部が選択した一の画像に第１人物及び第２人物がともに含まれると前記人物判断部が判断した場合に、当該画像から、前記第１人物を前記第２人物を含み、前記第１人物が前記第２人物より強調してトリミングされたトリミング画像を生成するトリミング画像生成部と、
前記トリミング画像生成部が生成したトリミング画像を用いてアルバムを生成するアルバム生成部と
を有する
請求項８に記載のアルバム作成装置。
【請求項２２】
画像に対応づけて、当該画像に含まれる人物を示す人物識別情報を格納する画像格納段階と、
関連性が高い人物同士の人物識別情報が対応づけられた関連人物情報を格納する関連人物情報格納段階と、
前記関連人物情報格納段階において格納されている関連人物情報に基づいて、ユーザに指定された人物である指定人物と関連性の高い人物の人物識別情報を抽出する関連人物情報抽出段階と、
前記関連人物情報抽出段階において抽出された人物識別情報に対応づけて前記画像格納段階において格納される画像を抽出する画像抽出段階と、
前記画像抽出段階において抽出された画像を含むアルバムを作成するアルバム作成段階と
を備えるアルバム作成方法。
【請求項２３】
アルバムを作成するアルバム作成装置用のプログラムであって、前記アルバム作成装置を、
画像に対応づけて、当該画像に含まれる人物を示す人物識別情報を格納する画像格納部、
関連性が高い人物同士の人物識別情報が対応づけられた関連人物情報を格納する関連人物情報格納部、
前記関連人物情報格納部が格納している関連人物情報に基づいて、ユーザに指定された人物である指定人物と関連性の高い人物の人物識別情報を抽出する関連人物情報抽出部、
前記関連人物情報抽出部が抽出した人物識別情報に対応づけて前記画像格納部が格納している画像を選択する画像選択部、
前記画像選択部が選択した画像を含むアルバムを作成するアルバム作成部
として機能させるプログラム。
【請求項２４】
画像を撮像する撮像部と、
前記撮像部が撮像した画像に人物が含まれるか否かを判断する人物判断部と、
前記人物判断部が画像に人物が含まれると判断した場合に前記撮像部が撮像した画像に含まれる人物を入力すべき旨をユーザに対して通知する入力通知部と、
前記入力通知部が入力すべき旨をユーザに対して通知した後の所定のタイミングまでの間に、前記撮像部が撮像した画像に含まれる人物を示す人物識別情報をユーザに入力させる人物識別情報入力部と、
前記人物識別情報入力部から人物識別情報が入力された場合に、前記撮像部によって最後に撮像された画像に対応づけて、前記人物識別情報入力部から入力された人物識別情報を格納する画像格納部と、
関連性が高い人物同士の人物識別情報が対応づけられた関連人物情報を格納する関連人物情報格納部と、
前記関連人物情報格納部が格納している関連人物情報に基づいて、ユーザに指定された人物である指定人物と関連性の高い人物の人物識別情報を抽出する関連人物情報抽出部と、
前記関連人物情報抽出部が抽出した人物識別情報に対応づけて前記画像格納部が格納している画像を選択する画像選択部と、
前記画像選択部が選択した画像を含むアルバムを作成するアルバム作成部と
を備えるアルバム作成システム。
【請求項２５】
人物を示す人物識別情報をユーザに入力させる人物識別情報入力部と、
撮像画像を撮像する撮像部と、
前記人物識別情報入力部から人物識別情報が入力されてから所定のタイミングまでの間に前記撮像部によって撮像画像が撮像された場合に、前記撮像部が撮像した撮像画像に人物が含まれるか否かを判断する人物判断部と、
前記人物判断部が、前記撮像部によって撮像された撮像画像に人物が含まれると判断した場合に、前記撮像部によって撮像された撮像画像と、前記人物識別情報入力部から入力された人物識別情報とを対応づけて格納する画像格納部と
を備える撮像装置。
【請求項２６】
前記人物識別情報入力部は、複数の人物をそれぞれ示す複数の人物識別情報をユーザに入力させ、
前記画像格納部は、前記人物判断部が前記撮像部によって撮像された撮像画像に人物が含まれると判断した場合に、前記撮像部によって撮像された撮像画像と、前記人物識別情報入力部から入力された複数の人物識別情報とを対応づけて格納する
請求項２５に記載の撮像装置。
【請求項２７】
前記人物判断部が前記撮像部によって撮像された撮像画像に人物が含まれると判断した場合に、前記撮像部によって撮像された撮像画像に含まれる人物の数を算出する人数算出部
さらに備え、
前記画像格納部は、前記人物判断部が前記撮像部によって撮像された撮像画像に人物が含まれると判断した場合に、前記人数算出部が算出した人数が前記人物識別情報入力部から入力された人物識別情報の数以上であることを条件として、前記撮像部によって撮像された撮像画像と、前記人物識別情報入力部から入力された複数の人物識別情報とを対応づけて格納する
請求項２５に記載の撮像装置。
【請求項２８】
前記人物識別情報入力部において、人物を示す人物識別情報がユーザから入力された場合に、前記撮像部が撮像画像を撮像する前に前記撮像部によって撮像される予備画像の予め定められた所定の領域から人物を抽出する人物抽出部と、
前記人物抽出部が抽出した人物と、前記撮像部が撮像した撮像画像に含まれる人物とをマッチングすることによって、前記撮像部が撮像した撮像画像における人物の位置を特定する人物位置特定部と
をさらに備え、
前記画像格納部は、前記撮像部によって撮像された撮像画像と、前記人物識別情報入力部から入力された人物識別情報及び前記人物位置特定部が特定した人物の位置とを対応づけて格納する
請求項２５に記載の撮像装置。
【請求項２９】
前記人物識別情報を、前記人物判断部が判断した人物に対応づけてユーザに通知する人物通知部と、
前記人物通知部が通知した人物識別情報が、前記人物判断部によって判断された人物を示すか否かを、前記人物判断部が判断した人物に対応づけてユーザから入力させる確認情報入力部と、
前記確認情報入力部から入力された確認情報が、前記人物通知部が通知した人物識別情報が前記人物判断部によって判断された人物を示す場合に、前記撮像部によって撮像された撮像画像と前記人物通知部が通知した人物識別情報とを対応づけて前記画像格納部に格納させる画像格納制御部と
をさらに備える請求項２５に記載の撮像装置。
【請求項３０】
人物を示す人物識別情報をユーザに入力させる人物識別情報入力段階と、
撮像画像を撮像する撮像段階と、
前記人物識別情報入力段階において人物識別情報が入力されてから所定のタイミングまでの間に前記撮像段階において撮像画像が撮像された場合に、前記撮像段階において撮像された撮像画像に人物が含まれるか否かを判断する人物判断段階と、
前記人物判断段階において、前記撮像段階において撮像された撮像画像に人物が含まれると判断された場合に、前記撮像段階において撮像された撮像画像と、前記人物識別情報入力段階において入力された人物識別情報とを対応づけて格納する画像格納段階と
を備える撮像方法。
【請求項３１】
撮像画像を撮像する撮像装置用のプログラムであって、前記撮像装置を、
人物を示す人物識別情報をユーザに入力させる人物識別情報入力部、
撮像画像を撮像する撮像部、
前記人物識別情報入力部から人物識別情報が入力されてから所定のタイミングまでの間に前記撮像部によって撮像画像が撮像された場合に、前記撮像部が撮像した撮像画像に人物が含まれるか否かを判断する人物判断部、
前記人物判断部が、前記撮像部によって撮像された撮像画像に人物が含まれると判断した場合に、前記撮像部によって撮像された撮像画像と、前記人物識別情報入力部から入力された人物識別情報とを対応づけて格納する画像格納部
として機能させるプログラム。
【発明の詳細な説明】
【技術分野】
【０００１】
本発明は、撮像装置、撮像方法、アルバム作成装置、アルバム作成方法、アルバム作成システム、及びプログラムに関する。特に本発明は、画像を撮像する撮像装置及び撮像方法、画像からアルバムを生成するアルバム作成装置、撮像装置とアルバム作成装置を含むアルバム作成システム、並びに、撮像装置及びアルバム作成装置用のプログラムに関する。
【０００２】
旅行先で撮影した画像データに付帯された位置情報、撮影時間情報等のタグ情報を元にして、画面の中心に旅行先の地図を配置して、地図の周囲に配置された画像と地図上における撮像位置とを線で結ぶなどして、地図と画像との関連がわかるようにレイアウトされたアルバムを作成するアルバム作成システムが知られている（例えば、特許文献１参照。）。
【特許文献１】特開平１０−１２６７３１号公報
【発明の開示】
【発明が解決しようとする課題】
【０００３】
しかしながら、特許文献１の技術によってアルバムを作成したとき、例えばアルバムの主人公となる人物にとって全く関係のない観光客等が写った画像がアルバムに収められてしまう場合がある。このようなアルバムは閲覧者にとって全くつまらないものになってしまう。したがって、アルバムの主人公となる人物、アルバムの閲覧者等にとって身近な人物が写った画像を選択してアルバムが作成されるのが望ましい。しかし、アルバムの作成者は、画像に写っている人物のうち、どの人物とどの人物とが身近な人物であるかを容易に判断することができない。このため、アルバムの作成時に手間がかかってしまうという課題があった。
【０００４】
そこで本発明は、上記の課題を解決することができる撮像装置、撮像方法、アルバム作成装置、アルバム作成方法、アルバム作成システム、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態における撮像装置は、画像を撮像する撮像部と、撮像部が撮像した画像に人物が含まれるか否かを判断する人物判断部と、人物判断部が画像に人物が含まれると判断した場合に撮像部が撮像した画像に含まれる人物を入力すべき旨をユーザに対して通知する入力通知部と、入力通知部が入力すべき旨をユーザに対して通知した後の所定のタイミングまでの間に、撮像部が撮像した画像に含まれる人物を示す人物識別情報をユーザに入力させる人物識別情報入力部と、人物識別情報入力部から人物識別情報が入力された場合に、撮像部によって最後に撮像された画像に対応づけて、人物識別情報入力部から入力された人物識別情報を格納する画像格納部とを備える。
【０００６】
人物判断部が画像に人物が含まれると判断した場合に、撮像部によって新たに撮像された画像に含まれる人物画像を抽出する人物画像抽出部と、人物画像抽出部が抽出した人物画像を画像格納部が格納している画像と比較することによって、撮像部によって新たに撮像された画像に含まれる人物を示す人物識別情報を検索する人物識別情報検索部とをさらに備え、画像格納部は、撮像部によって新たに撮像された画像に対応づけて、人物識別情報検索部が検索した人物識別情報を格納してよい。
【０００７】
人物識別情報検索部が検索した人物識別情報が示す人物をユーザに通知する検索人物通知部と、検索人物通知部が通知した人物が撮像部によって新たに撮像された画像に含まれる人物であるか否かの確認情報をユーザに入力させる確認情報入力部と、確認情報入力部から入力された確認情報が、検索人物通知部が通知した人物が撮像部によって新たに撮像された画像に含まれる人物であることを示す場合に、撮像部によって新たに撮像された画像に対応づけて、人物識別情報検索部が検索した人物識別情報を画像格納部に格納させる画像格納制御部とをさらに備えてよい。
【０００８】
同一の画像に存在する蓋然性が高い複数の人物の人物識別情報を互いに対応づけて格納する関連人物情報格納部をさらに備え、人物画像抽出部が撮像部によって新たに撮像された画像から複数の人物を抽出した場合であって、画像格納部が、人物画像抽出部が抽出した第１の人物の人物識別情報を格納しており、人物画像抽出部が抽出した第２の人物の人物識別情報を格納していない場合、人物画像抽出部は、撮像部によって新たに撮像された画像に含まれる第１の人物の人物画像を抽出し、人物識別情報検索部は、人物画像抽出部が抽出した第１の人物の人物画像を画像格納部が格納している画像と比較することによって、第１の人物を示す人物識別情報を検索し、さらに検索された第１の人物を示す人物識別情報に対応づけて関連人物情報格納部が格納している人物識別情報を第２の人物の人物識別情報として検索してよい。
【０００９】
少なくとも一の人物を示す人物識別情報をそれぞれ含む複数の人物群が記録された人物群記録部と、人物識別情報入力部から人物識別情報が入力されなかった場合に、人物群記録部に記録された少なくとも一の人物群をユーザに通知してユーザに選択させる人物群選択部と、人物群選択部によって選択された人物群に含まれる少なくとも一の人物を示す人物識別情報をユーザに通知して選択させる人物識別情報選択部とをさらに備え、画像格納部は、撮像部によって最後に撮像された画像に対応づけて、人物識別情報選択部で選択された人物識別情報を格納してよい。
【００１０】
本発明の第２の形態における撮像方法は、画像を撮像する撮像段階と、撮像段階において撮像された画像に人物が含まれるか否かを判断する人物判断段階と、人物判断段階において画像に人物が含まれると判断された場合に撮像段階において撮像された画像に含まれる人物を入力すべき旨をユーザに対して通知する入力通知段階と、入力通知段階において入力すべき旨をユーザに対して通知された後の所定のタイミングまでの間に、撮像段階において撮像された画像に含まれる人物を示す人物識別情報をユーザに入力させる人物識別情報入力段階と、人物識別情報入力段階において人物識別情報が入力された場合に、撮像段階において最後に撮像された画像に対応づけて、人物識別情報入力段階において入力された人物識別情報を格納する画像格納段階とを備える。
【００１１】
本発明の第３の形態によると、画像を撮像する撮像装置用のプログラムであって、撮像装置を、画像を撮像する撮像部、撮像部が撮像した画像に人物が含まれるか否かを判断する人物判断部、人物判断部が画像に人物が含まれると判断した場合に撮像部が撮像した画像に含まれる人物を入力すべき旨をユーザに対して通知する入力通知部、入力通知部が入力すべき旨をユーザに対して通知した後の所定のタイミングまでの間に、撮像部が撮像した画像に含まれる人物を示す人物識別情報をユーザに入力させる人物識別情報入力部、人物識別情報入力部から人物識別情報が入力された場合に、撮像部によって最後に撮像された画像に対応づけて、人物識別情報入力部から入力された人物識別情報を格納する画像格納部として機能させる。
【００１２】
本発明の第４の形態におけるアルバム作成装置は、画像に対応づけて、当該画像に含まれる人物を示す人物識別情報を格納する画像格納部と、関連性が高い人物同士の人物識別情報が対応づけられた関連人物情報を格納する関連人物情報格納部と、関連人物情報格納部が格納している関連人物情報に基づいて、ユーザに指定された人物である指定人物と関連性の高い人物の人物識別情報を抽出する関連人物情報抽出部と、関連人物情報抽出部が抽出した人物識別情報に対応づけて画像格納部が格納している画像を選択する画像選択部と、画像選択部が選択した画像を含むアルバムを作成するアルバム作成部とを備える。
【００１３】
指定人物を示す人物識別情報に対応づけて画像格納部が格納している画像である指定人物画像を抽出する指定人物画像抽出部をさらに備え、アルバム作成部は、画像選択部が選択した画像である関連人物画像と、指定人物画像抽出部が抽出した指定人物画像とを、アルバムの異なるページに分類する画像分類部と、画像分類部がアルバムの各ページに分類した画像を用いて、アルバムの各ページを生成するアルバム生成部とを有してよい。
【００１４】
指定人物を示す人物識別情報に対応づけて画像格納部が格納している画像である指定人物画像を抽出する指定人物画像抽出部をさらに備え、関連人物情報抽出部は、関連人物情報格納部が格納している関連人物情報に基づいて、指定人物と関連性の高い第１人物及び第２人物の人物識別情報を抽出し、画像選択部は、関連人物情報抽出部が抽出した第１人物を示す人物識別情報に対応づけて画像格納部が格納している画像である第１関連人物画像及び第２人物を示す人物識別情報に対応づけて画像格納部が格納している画像である第２関連人物画像を選択し、アルバム作成部は、画像選択部が選択した第１関連人物画像と指定人物画像抽出部が抽出した指定人物画像とをアルバムの一のページに分類し、画像選択部が選択した第２関連人物画像と指定人物画像抽出部が抽出した指定人物画像とをアルバムの他のページに分類する画像分類部と、画像分類部が各ページに分類した画像を用いて、アルバムにおける各ページを生成するアルバム生成部とを有してよい。
【００１５】
指定人物を示す人物識別情報に対応づけて画像格納部が格納している画像である指定人物画像を抽出する指定人物画像抽出部をさらに備え、関連人物情報抽出部は、関連人物情報格納部が格納している関連人物情報に基づいて、指定人物と関連性の高い第１人物及び第２人物の人物識別情報を抽出し、画像選択部は、関連人物情報抽出部が抽出した第１人物を示す人物識別情報に対応づけて画像格納部が格納している画像である第１関連人物画像及び第２人物を示す人物識別情報に対応づけて画像格納部が格納している画像である第２関連人物画像を選択し、アルバム作成部は、指定人物画像抽出部が抽出した指定人物画像と、画像選択部が選択した第１関連人物画像及び第２関連人物画像とを、アルバムの同一ページに分類する画像分類部と、画像分類部がアルバムの同一ページに分類した指定人物画像、第１関連人物画像、及び第２関連人物画像を用いて、当該ページを生成するアルバム生成部とを有してよい。
【００１６】
画像分類部は、関連人物情報格納部が格納している関連人物情報に基づいて、同一ページにおいて第１人物が含まれる数と第２人物が含まれる数とが略同一になるように、第１関連人物画像及び第２関連人物画像を各ページに分類してよい。
【００１７】
アルバム作成部は、関連人物情報格納部が格納している関連人物情報に基づいて、画像格納部が格納している画像に含まれる第１人物及び第２人物が占める面積を算出する面積算出部をさらに有し、画像分類部は、関連人物情報格納部が格納している関連人物情報及び面積算出部が算出した面積に基づいて、同一ページにおける第１人物の面積と第２人物の面積とが略同一になるように、第１関連人物画像及び第２関連人物画像を各ページに分類してよい。
【００１８】
アルバム作成部は、関連人物情報格納部が格納している関連人物情報に基づいて、画像分類部がページ毎に分類した第１関連人物画像及び第２関連人物画像に含まれる第１人物及び第２人物が占める面積をページ毎に算出する面積算出部をさらに有し、アルバム生成部は、面積算出部が算出した、同一ページにおいて第１人物が占める面積と第２人物が占める面積とが略同一となるように、第１人物画像及び第２人物画像を拡大又は縮小してアルバムを生成してよい。
【００１９】
関連人物情報格納部は、関連性が高い人物同士の人物識別情報が対応づけられた関連人物情報を、当該人物同士の関連性の高さに対応づけて格納しており、関連人物情報抽出部は、指定人物との関連性が高い第１人物を示す人物識別情報と、第１人物より指定人物との関連性が低い第２人物を示す人物識別情報を抽出し、画像選択部は、関連人物情報抽出部が抽出した第１人物を示す人物識別情報に対応づけて画像格納部が格納している画像である第１関連人物画像及び第２人物を示す人物識別情報に対応づけて画像格納部が格納している画像である第２関連人物画像を選択し、アルバム作成部は、画像選択部が選択した第１関連人物画像及び第２関連人物画像を含むページにおいて、第１関連人物画像を第２関連人物画像より強調してレイアウトしてよい。
【００２０】
アルバム作成部は、関連人物情報格納部が格納している関連人物情報に基づいて、第１関連人物画像及び第２関連人物画像を含むページに含まれる第１人物の数が、当該ページに含まれる第２人物の数より多くなるよう、当該ページに用いる第１関連人物画像及び第２関連人物画像を選択してよい。
【００２１】
アルバム作成部は、関連人物情報格納部が格納している関連人物情報及び画像格納部が格納している画像に基づいて、第１関連人物画像及び第２関連人物画像を含むページにおいて第１人物が占める面積及び第２人物が占める面積を算出する面積算出部と、面積算出部が算出した第１人物が占める面積が、第２人物が占める面積より大きくなるよう、当該ページに用いる第１関連人物画像及び第２関連人物画像を選択するアルバム生成部とを有してよい。
【００２２】
関連人物情報格納部は、当該人物同士が親族関係にある場合に、親族関係がより近いほどより高い関連性の高さに対応づけて関連人物情報を格納してよい。
【００２３】
関連人物情報格納部は、アルバムの閲覧者を示す人物識別情報が対応づけられた関連人物情報を、アルバムの閲覧者を示す人物識別情報が対応づけられていない関連人物情報より高い関連性の高さに対応づけて格納してよい。
【００２４】
アルバム作成部は、関連人物情報格納部が格納している関連人物情報に基づいて、画像選択部が選択した一の画像に指定人物及び関連性の高い人物がともに含まれるか否かを判断する人物判断部と、画像選択部が選択した一の画像に指定人物及び関連性の高い人物がともに含まれると人物判断部が判断した場合に、当該画像から、指定人物及び関連性の高い人物を含み、指定人物が強調してトリミングされたトリミング画像を生成するトリミング画像生成部と、トリミング画像生成部が生成したトリミング画像を用いてアルバムを生成するアルバム生成部とを有してよい。
【００２５】
関連人物情報格納部は、関連性が高い人物同士の人物識別情報が対応づけられた関連人物情報を、当該人物同士の関連性の高さに対応づけて格納しており、アルバム作成部は、関連人物情報格納部が格納している関連人物情報に基づいて、画像選択部が選択した一の画像に、第１人物及び第１人物より指定人物との関連性が低い第２人物がともに含まれるか否かを判断する人物判断部と、画像選択部が選択した一の画像に第１人物及び第２人物がともに含まれると人物判断部が判断した場合に、当該画像から、第１人物を第２人物を含み、第１人物が第２人物より強調してトリミングされたトリミング画像を生成するトリミング画像生成部と、トリミング画像生成部が生成したトリミング画像を用いてアルバムを生成するアルバム生成部とを有してよい。
【００２６】
本発明の第５の形態におけるアルバム作成方法は、画像に対応づけて、当該画像に含まれる人物を示す人物識別情報を格納する画像格納段階と、関連性が高い人物同士の人物識別情報が対応づけられた関連人物情報を格納する関連人物情報格納段階と、関連人物情報格納段階において格納される関連人物情報に基づいて、ユーザに指定された人物である指定人物と関連性の高い人物の人物識別情報を抽出する関連人物情報抽出段階と、関連人物情報抽出段階において抽出された人物識別情報に対応づけて画像格納段階において格納される画像を抽出する画像抽出段階と、画像抽出段階において抽出された画像を含むアルバムを作成するアルバム作成段階とを備える。
【００２７】
本発明の第６の形態によると、アルバムを作成するアルバム作成装置用のプログラムであって、アルバム作成装置を、画像に対応づけて、当該画像に含まれる人物を示す人物識別情報を格納する画像格納部、関連性が高い人物同士の人物識別情報が対応づけられた関連人物情報を格納する関連人物情報格納部、関連人物情報格納部が格納している関連人物情報に基づいて、ユーザに指定された人物である指定人物と関連性の高い人物の人物識別情報を抽出する関連人物情報抽出部、関連人物情報抽出部が抽出した人物識別情報に対応づけて画像格納部が格納している画像を選択する画像選択部、画像選択部が選択した画像を含むアルバムを作成するアルバム作成部として機能させる。
【００２８】
本発明の第７の形態によると、画像を撮像する撮像装置と、アルバムを作成するアルバム作成装置とを備えるアルバム作成システムであって、画像を撮像する撮像部と、撮像部が撮像した画像に人物が含まれるか否かを判断する人物判断部と、人物判断部が画像に人物が含まれると判断した場合に撮像部が撮像した画像に含まれる人物を入力すべき旨をユーザに対して通知する入力通知部と、入力通知部が入力すべき旨をユーザに対して通知した後の所定のタイミングまでの間に、撮像部が撮像した画像に含まれる人物を示す人物識別情報をユーザに入力させる人物識別情報入力部と、人物識別情報入力部から人物識別情報が入力された場合に、撮像部によって最後に撮像された画像に対応づけて、人物識別情報入力部から入力された人物識別情報を格納する画像格納部と、関連性が高い人物同士の人物識別情報が対応づけられた関連人物情報を格納する関連人物情報格納部と、関連人物情報格納部が格納している関連人物情報に基づいて、ユーザに指定された人物である指定人物と関連性の高い人物の人物識別情報を抽出する関連人物情報抽出部と、関連人物情報抽出部が抽出した人物識別情報に対応づけて画像格納部が格納している画像を選択する画像選択部と、画像選択部が選択した画像を含むアルバムを作成するアルバム作成部とを備える。
【００２９】
本発明の第８の形態における撮像装置は、人物を示す人物識別情報をユーザに入力させる人物識別情報入力部と、撮像画像を撮像する撮像部と、人物識別情報入力部から人物識別情報が入力されてから所定のタイミングまでの間に撮像部によって撮像画像が撮像された場合に、撮像部が撮像した撮像画像に人物が含まれるか否かを判断する人物判断部と、人物判断部が、撮像部によって撮像された撮像画像に人物が含まれると判断した場合に、撮像部によって撮像された撮像画像と、人物識別情報入力部から入力された人物識別情報とを対応づけて格納する画像格納部とを備える。
【００３０】
人物識別情報入力部は、複数の人物をそれぞれ示す複数の人物識別情報をユーザに入力させ、画像格納部は、人物判断部が撮像部によって撮像された撮像画像に人物が含まれると判断した場合に、撮像部によって撮像された撮像画像と、人物識別情報入力部から入力された複数の人物識別情報とを対応づけて格納してよい。
【００３１】
人物判断部が撮像部によって撮像された撮像画像に人物が含まれると判断した場合に、撮像部によって撮像された撮像画像に含まれる人物の数を算出する人数算出部さらに備え、画像格納部は、人物判断部が撮像部によって撮像された撮像画像に人物が含まれると判断した場合に、人数算出部が算出した人数が人物識別情報入力部から入力された人物識別情報の数以上であることを条件として、撮像部によって撮像された撮像画像と、人物識別情報入力部から入力された複数の人物識別情報とを対応づけて格納してよい。
【００３２】
人物識別情報入力部において、人物を示す人物識別情報がユーザから入力された場合に、撮像部が撮像画像を撮像する前に撮像部によって撮像される予備画像の予め定められた所定の領域から人物を抽出する人物抽出部と、人物抽出部が抽出した人物と、撮像部が撮像した撮像画像に含まれる人物とをマッチングすることによって、撮像部が撮像した撮像画像における人物の位置を特定する人物位置特定部とをさらに備え、画像格納部は、撮像部によって撮像された撮像画像と、人物識別情報入力部から入力された人物識別情報及び人物位置特定部が特定した人物の位置とを対応づけて格納してよい。
【００３３】
人物識別情報を、人物判断部が判断した人物に対応づけてユーザに通知する人物通知部と、人物通知部が通知した人物識別情報が、人物判断部によって判断された人物を示すか否かを、人物判断部が判断した人物に対応づけてユーザから入力させる確認情報入力部と、確認情報入力部から入力された確認情報が、人物通知部が通知した人物識別情報が人物判断部によって判断された人物を示す場合に、撮像部によって撮像された撮像画像と人物通知部が通知した人物識別情報とを対応づけて画像格納部に格納させる画像格納制御部とをさらに備えてよい。
【００３４】
本発明の第９の形態における撮像方法は、人物を示す人物識別情報をユーザに入力させる人物識別情報入力段階と、撮像画像を撮像する撮像段階と、人物識別情報入力段階において人物識別情報が入力されてから所定のタイミングまでの間に撮像段階において撮像画像が撮像された場合に、撮像段階において撮像された撮像画像に人物が含まれるか否かを判断する人物判断段階と、人物判断段階において、撮像段階において撮像された撮像画像に人物が含まれると判断された場合に、撮像段階において撮像された撮像画像と、人物識別情報入力段階において入力された人物識別情報とを対応づけて格納する画像格納段階とを備える。
【００３５】
本発明の第１０の形態によると、撮像画像を撮像する撮像装置用のプログラムであって、撮像装置を、人物を示す人物識別情報をユーザに入力させる人物識別情報入力部、撮像画像を撮像する撮像部、人物識別情報入力部から人物識別情報が入力されてから所定のタイミングまでの間に撮像部によって撮像画像が撮像された場合に、撮像部が撮像した撮像画像に人物が含まれるか否かを判断する人物判断部、人物判断部が、撮像部によって撮像された撮像画像に人物が含まれると判断した場合に、撮像部によって撮像された撮像画像と、人物識別情報入力部から入力された人物識別情報とを対応づけて格納する画像格納部として機能させる。
【００３６】
なお上記の発明の概要は、本発明の必要な特徴の全てを列挙したものではなく、これらの特徴群のサブコンビネーションもまた発明となりうる。
【発明の効果】
【００３７】
本発明によれば、画像に写った被写体の人物情報を容易に登録することができる。そして、望ましい人物が被写体として写っている画像を選択してアルバムを作成することができる。
【発明を実施するための最良の形態】
【００３８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００３９】
図１は、本発明の一実施形態に係るアルバム作成システム１７０の利用環境の一例を示す。アルバム作成システム１７０は、撮像装置１００及びアルバム作成装置１９２を備える。撮像装置１００は、撮像した画像に人物が写っている場合には、その人物の名前等の人物情報をユーザ１８０に入力させ、当該画像とともに記録しておく。そして撮像装置１００は、既に記録された人物情報の人物が新たに撮像された画像に写っている場合には、当該画像に当該人物情報を自動的に記録しておく。
【００４０】
そしてアルバム作成装置１９２は、撮像装置１００によって撮像された画像及び被撮像者の人物情報をインターネット等の通信回線１５０又は半導体メモリ等の記録媒体等を介して受け取る。そしてアルバム作成装置１９２は、アルバムの主人公、アルバムをプレゼントする相手等の人物の人物情報をユーザ１８０に指定させる。そしてアルバム作成装置１９２は、指定された人物自身、指定された人物の家族等といった、指定された人物にとって身近な人物が写っている画像を、画像に記録された人物情報に基づいて選択して、アルバムを作成する。
【００４１】
なお、撮像装置１００は、デジタルスチルカメラ、カメラ付携帯電話、撮像機能を有するＰＤＡ等であってよい。アルバム作成装置１９２は、パーソナルコンピュータ、電子フォトスタンド、ＨＤＴＶ等の、画面に表示する装置であってよい。また、アルバム作成装置１９２は、プリンタ等の、画像を印刷して出力する装置であってもよい。
【００４２】
なお、撮像装置１００は、画像及び人物情報を、通信回線１５０に接続されたサーバのユーザ１８０毎にそれぞれ設けられたディレクトリ、例えば撮像装置１００と関連付けられたディレクトリに格納してもよい。そして出力装置１４０は、ユーザ１８０毎にサーバに格納された画像及び被撮像者の人物情報を受け取ってもよい。
【００４３】
以上説明したアルバム作成システム１７０によれば、撮像装置１００が撮像した画像の被写体である人物を、当該画像に容易に記録しておくことができる。そして、アルバム作成装置１９２は、撮像装置１００から受け取った画像を用いて、アルバムの主人公、アルバムの閲覧者等にとって望ましい人物が写っている画像を選択してアルバムを作成することができる。このため、ユーザ１８０は、手軽にアルバム作りを楽しむことができる。
【００４４】
図２は、撮像装置１００のブロック構成の一例を示す。撮像装置１００は、撮像部２０２、画像格納部２０４、人物判断部２０６、入力通知部２０８、人物識別情報入力部２１０、画像格納制御部２１２、人物画像抽出部２１４、人物識別情報検索部２１８、確認情報入力部２２０、検索人物通知部２２２、関連人物情報格納部２２４、人物識別情報選択部２３０、人物群記録部２３２、及び人物群選択部２３４を備える。
【００４５】
撮像部２０２は、画像を撮像する。人物判断部２０６は、撮像部２０２が撮像した画像に人物が含まれるか否かを判断する。入力通知部２０８は、人物判断部２０６が画像に人物が含まれると判断した場合に、撮像部２０２が撮像した画像に含まれる人物を入力すべき旨をユーザ１８０に対して通知する。
【００４６】
人物識別情報入力部２１０は、入力通知部２０８が入力すべき旨をユーザ１８０に対して通知した後の所定のタイミングまでの間に、撮像部２０２が撮像した画像に含まれる人物を示す人物識別情報をユーザ１８０に入力させる。なお、人物識別情報とは、例えば人物の名前であってよく、父、兄等、ユーザ１８０との人物関係を示す用語等であってよい。
【００４７】
また、所定のタイミングとは、予め定めた時間が経過したタイミングであってよい。他にも、所定のタイミングとは、撮像部２０２による新たな撮像動作がなされたタイミングであってもよいし、撮像部２０２によって撮像された画像の表示が終了したタイミングであってもよい。また、所定のタイミングとは、ユーザ１８０によって人物識別情報を入力しない旨の操作がなされたタイミングであってもよい。
【００４８】
画像格納部２０４は、人物識別情報入力部２１０から人物識別情報が入力された場合に、撮像部２０２によって最後に撮像された画像に対応づけて、人物識別情報入力部２１０から入力された人物識別情報を格納する。したがって、ユーザ１８０は、被写体である人物を画像を撮像した後に入力して、画像とともに撮像装置１００に記録させることができる。このため、撮像する前に人物を入力する必要がなく、シャッタチャンスを逃してしまうのを防ぐことができる。
【００４９】
人物画像抽出部２１４は、人物判断部２０６が画像に人物が含まれると判断した場合に、撮像部２０２によって新たに撮像された画像に含まれる人物画像を抽出する。人物識別情報検索部２１８は、人物画像抽出部２１４が抽出した人物画像を画像格納部２０４が格納している画像と比較することによって、撮像部２０２によって新たに撮像された画像に含まれる人物を示す人物識別情報を検索する。例えば人物画像抽出部２１４は、人物画像として被写体の人物の顔画像を抽出する。そして、人物識別情報検索部２１８は、画像格納部２０４が格納している画像に含まれる顔画像と、人物画像抽出部２１４が抽出した顔画像とを比較することによって、画像格納部２０４が画像に対応づけて格納している人物識別情報を検索する。
【００５０】
画像格納部２０４は、撮像部２０２によって新たに撮像された画像に対応づけて、人物識別情報検索部２１８が検索した人物識別情報を格納する。このため、人物識別情報を入力させる等といった、面倒な作業をユーザ１８０にさせることなく、撮像時に自動的に人物識別情報を画像に記録することができる。
【００５１】
検索人物通知部２２２は、人物識別情報検索部２１８が検索した人物識別情報が示す人物をユーザ１８０に通知する。例えば、検索人物通知部２２２は、人物画像抽出部２１４によって抽出された人物画像と、人物識別情報が示す人物の名前等の人物識別情報とをモニタ画面に表示させる。なお、人物識別情報検索部２１８は、複数の人物識別情報を検索してもよい。そして、検索人物通知部２２２は、検索された人物識別情報のリストを人物画像とともにモニタ画面に表示して、複数の人物識別情報の中からユーザ１８０に選択させてよい。
【００５２】
確認情報入力部２２０は、検索人物通知部２２２が通知した人物が撮像部２０２によって新たに撮像された画像に含まれる人物であるか否かの確認情報をユーザ１８０に入力させる。例えば、確認情報入力部２２０は、検索人物通知部２２２が表示した人物画像と人物識別情報の近傍に、検索人物通知部２２２が通知した人物が撮像部２０２によって新たに撮像された画像に含まれる人物である旨を示すＯＫボタンを表示する。
【００５３】
画像格納制御部２１２は、確認情報入力部２２０から入力された確認情報が、検索人物通知部２２２が通知した人物が撮像部２０２によって新たに撮像された画像に含まれる人物であることを示す場合に、撮像部２０２によって新たに撮像された画像に対応づけて、人物識別情報検索部２１８が検索した人物識別情報を画像格納部２０４に格納させる。例えば、画像格納制御部２１２は、ＯＫボタンが押されたことを検出した場合に、検索人物通知部２２２が通知した人物が撮像部２０２によって新たに撮像された画像に含まれる人物であると判断してよい。また、画像格納制御部２１２は、複数の人物識別情報のリストの中からユーザ１８０によって一の人物識別情報が選択された場合に、当該人物識別情報で示される人物が、検索人物通知部２２２が通知した人物が撮像部２０２によって新たに撮像された画像に含まれる人物であると判断してよい。
【００５４】
関連人物情報格納部２２４は、同一の画像に存在する蓋然性が高い複数の人物の人物識別情報を互いに対応づけて格納する。例えば、関連人物情報格納部２２４は、親、兄弟、子供等の親族関係にある人物、友人関係にある人物等の人物識別情報を互いに対応づけて格納する。
【００５５】
そして、人物画像抽出部２１４が撮像部２０２によって新たに撮像された画像から複数の人物を抽出した場合であって、画像格納部２０４が、人物画像抽出部２１４が抽出した第１の人物の人物識別情報を格納しており、人物画像抽出部２１４が抽出した第２の人物の人物識別情報を格納していない場合には、人物画像抽出部２１４は、撮像部２０２によって新たに撮像された画像に含まれる第１の人物の人物画像を抽出する。そして、人物識別情報検索部２１８は、人物画像抽出部２１４が抽出した第１の人物の人物画像を画像格納部２０４が格納している画像と比較することによって、第１の人物を示す人物識別情報を検索し、さらに検索された第１の人物を示す人物識別情報に対応づけて関連人物情報格納部２２４が格納している人物識別情報を第２の人物の人物識別情報として検索する。
【００５６】
このため、被写体である人物の人物識別情報が画像格納部２０４から検索できなかった場合でも、同一の画像に存在する蓋然性が高い人物を関連人物情報格納部２２４から検索して、その人物をユーザ１８０に提示することができる。このため、ユーザ１８０は、被写体の人物をより容易に選択して画像に記録させることができる。
【００５７】
なお、関連人物情報格納部２２４は、画像格納部２０４に格納された画像に含まれる人物識別情報に基づいて、予め定められた割合よりも高い割合で同一の画像に出現している人物の人物識別情報の組を抽出して、抽出した組の人物識別情報を互いに関連づけて格納してもよい。これにより、ユーザ１８０が手入力で関連人物情報格納部２２４にデータ登録したりすることなく、関連人物情報格納部２２４に格納しているデータを更新していくことができる。
【００５８】
人物群記録部２３２は、少なくとも一の人物を示す人物識別情報をそれぞれ含む複数の人物群を記録している。人物群選択部２３４は、人物識別情報入力部２１０から人物識別情報が入力されなかった場合に、人物群記録部２３２に記録された少なくとも一の人物群をユーザに通知してユーザに選択させる。また、人物群選択部２３４は、撮像された画像に含まれる人物の人物識別情報が人物識別情報検索部２１８によって検索されなかった場合に、人物群記録部２３２に記録された少なくとも一の人物群をユーザに通知してユーザに選択させてもよい。また、人物群選択部２３４は、人物識別情報検索部２１８によって複数の人物識別情報が検索された場合に、当該人物識別情報を含む一以上の人物群を人物群記録部２３２が記録している人物識別情報から選択して、選択した人物群をユーザに通知してユーザに選択させてもよい。
【００５９】
そして、人物識別情報選択部２３０は、人物群選択部２３４によって選択された人物群に含まれる少なくとも一の人物を示す人物識別情報をユーザに通知して選択させる。そして、画像格納部２０４は、撮像部２０２によって最後に撮像された画像に対応づけて、人物識別情報選択部２３０で選択された人物識別情報を格納する。このため、ユーザ１８０は、撮像された画像に含まれる人物を選択操作によって入力することができるので、ユーザ１８０が人物識別情報を直接入力する場合に比べて、容易に人物識別情報を登録することができる。
【００６０】
以上説明した撮像装置１００によれば、人物を特定する情報を画像に記録すべくユーザに入力させる手間を削減することができる。そして、ユーザ１８０は、画像に記録した人物情報に基づいて、アルバムに収めるべき画像を容易に選択したり、画像を分類したりすることができる。
【００６１】
図３は、画像格納部２０４が格納しているデータをテーブル形式で示す。画像格納部２０４は、画像データ、人物識別情報、及び当該人物識別情報で示される人物が写っている画像上の位置を格納する。なお、画像格納部２０４は、一の画像データについて、当該画像データに含まれる複数の人物の人物識別情報及び位置を格納してよい。
【００６２】
そして、人物識別情報検索部２１８は、人物画像抽出部２１４によって抽出された人物画像の顔画像と、画像格納部２０４が格納している画像から抽出される顔画像とを比較することによって、撮像部２０２によって撮像された画像に含まれる人物を判断する。例えば、人物識別情報検索部２１８は、それぞれの顔画像から抽出した顔の特徴量を比較して、予め定められた一致度より高い一致度で一致する顔画像が写っている画像を画像格納部２０４から検索して、当該画像に対応づけて格納される人物識別情報を検索する。なお、顔の特徴量とは、例えば顔の輪郭形状、或いは、眼、鼻、口といった、顔における特徴的な部位の形状、それぞれの部位の顔全体における位置、又はそれぞれの部位の間の位置関係等であってよい。
【００６３】
図４は、関連人物情報格納部２２４が格納しているデータをテーブル形式で示す。関連人物情報格納部２２４は、人物識別情報、及び関連人物の人物識別情報を格納する。人物識別情報検索部２１８は、関連人物情報格納部２２４が格納しているデータを参照することによって、画像格納部２０４に人物識別情報が格納されていない人物が画像の被写体として写っている場合でも、撮像された画像の被写体の人物のうち一の人物の人物識別情報を検索することができれば、当該人物と同一の画像に蓋然性が高い人物の人物識別情報を関連人物情報格納部２２４から検索することができる。
【００６４】
図５は、人物識別情報を記録する処理フローの一例を示す。撮像部２０２が画像を撮像（Ｓ５０２）し、人物判断部２０６は、当該画像に人物が含まれるか否かを判断する（Ｓ５０４）。例えば、人物判断部２０６は、エッジ抽出等によって、画像から複数の被写体の輪郭を抽出して、人物が含まれるか否かを判断する。このとき、人物判断部２０６は、画像の部分領域毎に算出される空間周波数成分に基づいてより手前にある被写体が写っている部分領域を判断し、当該部分領域に人物が含まれるか否かを判断してよい。
【００６５】
例えば、人物判断部２０６は、当該部分領域に含まれる被写体を選択して、当該被写体の輪郭の画像領域が縦長であって、かつ、縦方向における先端領域に人間の肌の色に近い色を持つ被写体が含まれる場合に、画像に人物が含まれると判断してもよい。他にも、人物判断部２０６は、より手前にある被写体が写っている部分領域において抽出された被写体の輪郭と、予め定めた人物のパターンとのパターンマッチング等によって、人物が画像に含まれるか否かを判断してよい。
【００６６】
人物画像抽出部２１４は、撮像された画像から人物画像を抽出する（Ｓ５０６）。具体的には、人物判断部２０６によって人物が含まれていると判断される画像領域においてエッジ抽出等によって抽出された被写体の輪郭から、人物の顔の特徴量を抽出する。
【００６７】
人物識別情報検索部２１８は、人物画像抽出部２１４が抽出した顔の特徴量と、画像格納部２０４が格納している画像における顔の特徴量とに基づいて、特徴量が所定値以上の一致度で一致している人物の人物識別情報を画像格納部２０４から検索する（Ｓ５０８）。このとき、人物識別情報検索部２１８は、複数の人物識別情報を検索してもよい。また、人物識別情報検索部２１８は更に、一致度が最も高い顔を持つ一の人物の人物識別情報を検索してもよい。
【００６８】
そして人物識別情報検索部２１８は、人物画像抽出部２１４によって抽出された全ての人物について、人物識別情報が検索されたか否かを判断する（Ｓ５１０）。そして、Ｓ５１０において、全ての人物について人物識別情報が検索されていない場合は、人物識別情報検索部２１８は、一以上の人物の人物識別情報が検索されているか否かを判断する（Ｓ５１２）。Ｓ５１２において、一以上の人物の人物識別情報が検索されている場合には、人物識別情報検索部２１８は、関連人物情報格納部２２４に格納される、同一の画像に存在する蓋然性が高い関連人物を検索する（Ｓ５１４）。そして、検索人物通知部２２２は、Ｓ５１４において検索された関連人物をユーザ１８０に通知する（Ｓ５１６）。なお、Ｓ５１６において、検索人物通知部２２２は、Ｓ５０８において検索された人物も合わせてユーザ１８０に通知してよい。
【００６９】
そして、人物画像抽出部２１４によって抽出された全ての人物について、ユーザ１８０によって、Ｓ５１６において通知した人物が画像に含まれる人物である旨の確認情報がユーザ１８０から入力されたか否かを判断する（Ｓ５１８）。Ｓ５１８において、全ての人物について、通知した人物が画像に含まれる人物である旨の確認情報が入力された場合には、確認情報によって示される人物の人物識別情報を画像格納部２０４に格納して（Ｓ５２０）、処理を終了する。
【００７０】
Ｓ５１８において、通知した人物が画像に含まれる人物である旨の確認情報が全員について入力されていない場合には、当該確認情報が入力されていない人物を、入力通知部２０８からユーザ１８０に通知する（Ｓ５２２）。そしてユーザ１８０によって人物識別情報が人物識別情報入力部２１０から入力されたか否かを判断する（Ｓ５２４）。Ｓ５２４において人物識別情報がユーザ１８０から入力された場合には、Ｓ５２０に処理を移し、Ｓ５２４において入力された人物識別情報を画像格納部２０４に格納する。なお、このときＳ５２０では、Ｓ５１８においてユーザ１８０に提示した人物のうち、通知した人物が画像に含まれる人物である旨の確認情報がユーザ１８０から入力された人物については、当該人物の人物識別情報を画像格納部２０４に格納する。
【００７１】
Ｓ５２４において、ユーザ１８０から人物識別情報が入力されていない場合は、Ｓ５２２においてユーザ１８０に入力を通知してから、予め定めた時間が経過したか否かを判断する（Ｓ５２６）。Ｓ５２６において、予め定めた時間が経過している場合には、処理を終了する。またＳ５２６において、予め定めた時間が経過していない場合には、Ｓ５２４に処理を移行する。
【００７２】
Ｓ５１２において、一以上の人物の人物識別情報が検索されていない場合には、Ｓ５２２に処理を移行して、人物画像抽出部２１４によって抽出された全ての人物の人物識別情報を入力するようユーザ１８０に通知する。また、Ｓ５１０において、全ての人物について人物識別情報が検索されている場合には、Ｓ５１６に処理を移行させ、検索された人物をユーザ１８０に通知して、人物識別情報の確認をユーザ１８０に求める。また、Ｓ５０４において、画像に人物が含まれない場合には、処理を終了する。
【００７３】
以上説明したように、撮像装置１００は、撮像された画像の被写体の人物の人物識別情報を、過去に撮像された画像から検索して自動的に記録することができる。また、複数の被写体の人物のうち一の人物の人物識別情報が検索されていれば、人物識別情報が検索されない人物が画像に含まれる場合でも、当該人物と一緒に写っている可能性の高い人物リストを作成して、ユーザ１８０に提示することができる。このため、ユーザ１８０は、提示された人物リストから人物を選択するといった簡単な操作によって、画像とともに人物識別情報を撮像装置１００に記録させることができる。
【００７４】
図６は、人物群記録部２３２が記録している人物群のデータをテーブル形式で示す。人物群記録部２３２は、人物群を識別する人物群識別情報と、当該人物群に含まれる人物を識別する１以上の人物識別情報とを格納する。人物群識別情報とは、例えば「親戚」、「友達」など、ユーザ１８０との人物関係を示す用語であってよい。そして、人物群選択部２３４は、人物群識別情報を例えばモニタ画面に表示することによって、ユーザ１８０に選択させる。例えば人物群選択部２３４は、「親戚ですか？」という質問をモニタ画面に表示させるとともに、ユーザ１８０に人物群の選択を指示させるＯＫボタンを当該質問の近傍に表示する。他にも、人物群選択部２３４は、人物群識別情報のリストを表示して、ユーザ１８０に選択させてもよい。
【００７５】
そして、ユーザ１８０によって人物群識別情報が選択されると、人物識別情報選択部２３０は当該人物群識別情報に対応づけられて人物群記録部２３２が記録している人物識別情報をユーザ１８０に提示して選択させる。このため、ユーザ１８０は、撮像された画像に含まれる人物の人物識別情報を選択操作によって容易に登録することができる。
【００７６】
なお、撮像部２０２によって撮像された人物の人物識別情報が人物識別情報検索部２１８によって検索されなかった場合において、人物群選択部２３４は、当該人物の顔画像の特徴量が類似している人物が検索されると、当該撮像された人物を示す人物識別情報を含む人物群を選択し、選択した人物群を示す人物群識別情報を優先してユーザ１８０に提示してユーザ１８０に選択させてもよい。これによってユーザ１８０は、撮像された人物をより迅速に登録することができる。
【００７７】
以上説明した撮像装置１００によれば、人物を特定する人物識別情報を画像に記録すべくユーザ１８０に手入力させる手間を削減することができる。そして、ユーザ１８０は、画像に記録された人物識別情報に基づいて、アルバムに収めるべき画像を容易に選択したり、画像を分類したりすることができる。
【００７８】
図７は、アルバム作成装置１９２のブロック構成の一例を示す。アルバム作成装置１９２は、画像格納部６０４、関連人物情報格納部６２４、画像選択部６３２、関連人物情報抽出部６３４、指定人物画像抽出部６６０、特定被写体情報取得部６６２、及びアルバム作成部６３６を備える。また、図８は、アルバム作成部６３６のブロック構成の一例を示す。アルバム作成部６３６は、面積算出部６７２、画像分類部６７０、人物判断部６７４、トリミング画像生成部６７６、及びアルバム生成部６８０を有する。
【００７９】
画像格納部６０４は、画像に対応づけて、当該画像に含まれる人物を示す人物識別情報を格納する。なお、画像格納部６０４は、画像格納部２０４から画像及び人物識別情報を受け取って格納してよい。
【００８０】
関連人物情報格納部６２４は、関連性が高い人物同士の人物識別情報が対応づけられた関連人物情報を格納する。例えば、関連人物情報格納部６２４は、人物識別情報に対応づけて、当該人物識別情報で示される人物と同一のアルバムに一緒に登場させるべきである程身近な人物を示す人物識別情報を格納する。例えば、関連人物情報格納部６２４は、ユーザ１８０の親を示す人物識別情報と、ユーザ１８０の子供を示す人物識別情報とを対応付けて格納する。なお、関連人物情報格納部６２４は、ユーザ１８０によってデータが予め登録されてよい。
【００８１】
関連人物情報抽出部６３４は、関連人物情報格納部６２４が格納する関連人物情報に基づいて、ユーザ１８０に指定された人物である指定人物と関連性の高い人物の人物識別情報を抽出する。画像選択部６３２は、関連人物情報抽出部６３４が抽出した人物識別情報に対応づけて画像格納部６０４が格納している画像を抽出する。そして、アルバム作成部６３６は、画像選択部６３２が選択した画像を含むアルバムを作成する。
【００８２】
指定人物画像抽出部６６０は、指定人物を示す人物識別情報に対応づけて画像格納部６０４が格納している画像である指定人物画像を抽出する。そして、画像分類部６７０は、画像選択部６３２が選択した画像である関連人物画像と、指定人物画像抽出部６６０が抽出した指定人物画像とを、アルバムの異なるページに分類する。そして、アルバム生成部６８０は、画像分類部６７０がアルバムの各ページに分類した画像を用いて、アルバムの各ページを生成する。このため、アルバム作成装置１９２は、関連人物が登場するページと独立した指定人物が登場するページを作成することによって、アルバムの閲覧者に指定人物を強く印象づけることができる。
【００８３】
関連人物情報抽出部６３４は、関連人物情報格納部６２４が格納している関連人物情報に基づいて、指定人物と関連性の高い第１人物及び第２人物の人物識別情報を抽出してよい。そして、画像選択部６３２は、関連人物情報抽出部６３４が抽出した第１人物を示す人物識別情報に対応づけて画像格納部６０４が格納している画像である第１関連人物画像及び第２人物を示す人物識別情報に対応づけて画像格納部６０４が格納している画像である第２関連人物画像を選択する。そして画像分類部６７０は、画像選択部６３２が選択した第１関連人物画像と指定人物画像抽出部６６０が抽出した指定人物画像とをアルバムの一のページに分類し、画像選択部６３２が選択した第２関連人物画像と指定人物画像抽出部６６０が抽出した指定人物画像とをアルバムの他のページに分類する。そしてアルバム生成部６８０は、画像分類部６７０が各ページに分類した画像を用いて、アルバムにおける各ページを生成する。このため、アルバム作成装置１９２は、指定人物が強調され、かつ各ページに登場する人物のバランスのとれたアルバムを作成することができる。
【００８４】
また、関連人物情報抽出部６３４は、関連人物情報格納部６２４が格納している関連人物情報に基づいて、指定人物と関連性の高い第１人物及び第２人物の人物識別情報を抽出する。そして、画像選択部６３２は、関連人物情報抽出部６３４が抽出した第１人物を示す人物識別情報に対応づけて画像格納部６０４が格納している画像である第１関連人物画像及び第２人物を示す人物識別情報に対応づけて画像格納部６０４が格納している画像である第２関連人物画像を選択する。そして、画像分類部６７０は、指定人物画像抽出部６６０が抽出した指定人物画像と、画像選択部６３２が選択した第１関連人物画像及び第２関連人物画像とを、アルバムの同一ページに分類する。そして、アルバム生成部６８０は、画像分類部６７０がアルバムの同一ページに分類した指定人物画像、第１関連人物画像、及び第２関連人物画像を用いて、当該ページを生成する。
【００８５】
このとき、画像分類部６７０は、関連人物情報格納部６２４が格納している関連人物情報に基づいて、同一ページにおいて第１人物が含まれる数と第２人物が含まれる数とが略同一になるように、第１関連人物画像及び第２関連人物画像を各ページに分類する。また、面積算出部６７２は、関連人物情報格納部６２４が格納している関連人物情報に基づいて、画像格納部６０４が格納している画像に含まれる第１人物及び第２人物が占める面積を算出する。そして、画像分類部６７０は、関連人物情報格納部６２４が格納している関連人物情報及び面積算出部６７２が算出した面積に基づいて、同一ページにおける第１人物の面積と第２人物の面積とが略同一になるように、第１関連人物画像及び第２関連人物画像を各ページに分類する。このため、アルバム作成装置１９２は、指定人物以外の人物がページにおいて略等しく強調されたアルバムを作成することができる。
【００８６】
また、面積算出部６７２は、関連人物情報格納部６２４が格納している関連人物情報に基づいて、画像分類部６７０がページ毎に分類した第１関連人物画像及び第２関連人物画像に含まれる第１人物及び第２人物が占める面積をページ毎に算出する。そして、アルバム生成部６８０は、面積算出部６７２が算出した、同一ページにおいて第１人物が占める面積と第２人物が占める面積とが略同一となるように、第１人物画像及び第２人物画像を拡大又は縮小してアルバムを生成する。このため、アルバム作成装置１９２は、同一ページに指定人物以外の関連人物が複数含まれる場合に、その関連人物の一方が強調されたページが生成されてしまうことを未然に防ぐことができる。
【００８７】
なお、関連人物情報格納部６２４は、関連性が高い人物同士の人物識別情報が対応づけられた関連人物情報を、当該人物同士の関連性の高さに対応づけて格納している。そして、関連人物情報抽出部６３４は、指定人物との関連性が高い第１人物を示す人物識別情報と、第１人物より指定人物との関連性が低い第２人物を示す人物識別情報を抽出する。そして、画像選択部６３２は、関連人物情報抽出部６３４が抽出した第１人物を示す人物識別情報に対応づけて画像格納部６０４が格納している画像である第１関連人物画像及び第２人物を示す人物識別情報に対応づけて画像格納部６０４が格納している画像である第２関連人物画像を選択する。そして、アルバム作成部６３６は、画像選択部６３２が選択した第１関連人物画像及び第２関連人物画像を含むページにおいて、第１関連人物画像を第２関連人物画像より強調してレイアウトする。
【００８８】
具体的には、アルバム作成部６３６は、関連人物情報格納部６２４が格納している関連人物情報に基づいて、第１関連人物画像及び第２関連人物画像を含むページに含まれる第１人物の数が、当該ページに含まれる第２人物の数より多くなるよう、当該ページに用いる第１関連人物画像及び第２関連人物画像を選択する。他にも、面積算出部６７２は、関連人物情報格納部６２４が格納している関連人物情報及び画像格納部６０４が格納している画像に基づいて、第１関連人物画像及び第２関連人物画像を含むページにおいて第１人物がページにおいて占める面積及び第２人物がページにおいて占める面積を算出する。そして、アルバム生成部６８０は、面積算出部６７２が算出した第１人物が占める面積が、第２人物が占める面積より大きくなるよう、当該ページに用いる第１関連人物画像及び第２関連人物画像を選択する。
【００８９】
具体的には、関連人物情報格納部６２４は、当該人物同士が親族関係にある場合に、親族関係がより近いほどより高い関連性の高さに対応づけて関連人物情報を格納する。また、関連人物情報格納部６２４は、アルバムの閲覧者を示す人物識別情報が対応づけられた関連人物情報を、アルバムの閲覧者を示す人物識別情報が対応づけられていない関連人物情報より高い関連性の高さに対応づけて格納してもよい。このため、アルバム作成装置１９２は、例えば指定人物の親族等、指定人物との関連性がより高い人物がページにおいて強調されたレイアウトのアルバムを作成することができる。
【００９０】
人物判断部６７４は、関連人物情報格納部６２４が格納している関連人物情報に基づいて、画像選択部６３２が選択した一の画像に指定人物及び関連性の高い人物がともに含まれるか否かを判断する。そして、トリミング画像生成部６７６は、画像選択部６３２が選択した一の画像に指定人物及び関連性の高い人物がともに含まれると人物判断部６７４が判断した場合に、当該画像から、指定人物及び関連性の高い人物を含み、指定人物が強調してトリミングされたトリミング画像を生成する。例えば、トリミング画像生成部６７６は、指定人物が関連人物より中央に位置するトリミング画像を生成する。そして、アルバム生成部６８０は、トリミング画像生成部６７６が生成したトリミング画像を用いてアルバムを生成する。このため、アルバム作成装置１９２は、関連人物より指定人物が強調されたアルバムを作成することができる。
【００９１】
また、人物判断部６７４は、関連人物情報格納部６２４が格納している関連人物情報に基づいて、画像選択部６３２が選択した一の画像に、第１人物及び第１人物より指定人物との関連性が低い第２人物がともに含まれるか否かを判断する。そして、トリミング画像生成部６７６は、画像選択部６３２が選択した一の画像に第１人物及び第２人物がともに含まれると人物判断部６７４が判断した場合に、当該画像から、第１人物を第２人物を含み、第１人物が第２人物より強調してトリミングされたトリミング画像を生成する。例えば、トリミング画像生成部６７６は、第１人物が第２人物より中央に位置するトリミング画像を生成する。そして、アルバム生成部６８０は、トリミング画像生成部６７６が生成したトリミング画像を用いてアルバムを生成する。このため、アルバム作成装置１９２は、第２人物より第１人物が強調されたアルバムを作成することができる。
【００９２】
以上説明したアルバム作成装置１９２によれば、例えば、ユーザ１８０が、ユーザ１８０の子供と遊園地に行ったときに撮像した画像を用いてアルバムを作成すると、ユーザ１８０自身、ユーザ１８０の家族等、ユーザ１８０の子供にとって身近な人物が写った画像が自動的に選択されてアルバムが作成される。そして、遊園地を訪れていた他人が写っている画像は選択されない。このため、ユーザ１８０は、望ましい人物が写っている画像が収められたアルバムを手軽に作成することができる。
【００９３】
図９は、アルバムを作成する処理フローの一例を示す。関連人物情報抽出部６３４は、ユーザ１８０から人物の指定を受け付ける（Ｓ７０２）。このとき、ユーザ１８０は、例えばアルバムの主人公となるべき人物を指定する。そして、Ｓ７０２において指定された人物と身近な人物である関連人物の人物識別情報を関連人物情報格納部６２４から抽出する（Ｓ７０４）。
【００９４】
そして、画像選択部６３２は、Ｓ７０４で抽出された関連人物の人物識別情報に対応づけて画像格納部６０４に格納されている画像を選択する（Ｓ７０６）。なお、画像選択部６３２は、Ｓ７０６において、関連人物が画像のより中央に位置する画像をより多く選択してよい。また、画像選択部６３２は、Ｓ７０４で抽出された関連人物が画像内においてより大きい画像をより多く選択してもよい。
【００９５】
そして、アルバム作成部６３６は、Ｓ７０６で選択された画像を用いてアルバムを作成する（Ｓ７０８）。なお、アルバム作成部６３６は、Ｓ７０６で選択された画像をアルバムの代表的な画像として選択されたアルバムを作成してよい。なお、代表的な画像とは、例えばアルバムの表紙を飾る画像、アルバムのページの中央に大きく配置される画像、アルバムの一ページ全体の背景に用いる画像等であってよい。
【００９６】
図１０は、特定被写体情報取得部６６２が特定被写体情報を取得する処理フローの一例を示す。特定被写体情報は、アルバムに登場する人物に関連づけられた情報であり、アルバムにおける画像のレイアウト、タイトルの作成等、アルバム作成装置１９２がアルバムを作成する作成工程において利用される。特定被写体情報取得部６６２は、アルバムに含まれる画像に含まれる人物の役割を示すキャスティング情報をユーザ１８０に入力させて取得する（Ｓ１００２）。例えば、特定被写体情報取得部６６２は、アルバムにおける主人公を表す「Ｈｅｒｏ」、主人公の父親、母親、兄弟、及び姉妹であることをそれぞれ示す「Ｆａｔｈｅｒ」、「Ｍｏｔｈｅｒ」、「Ｂｒｏｔｈｅｒ」、及び「Ｓｉｓｔｅｒ」、並びに主人公の友人を示す「Ｆｒｉｅｎｄ」等を、キャスティング情報として入力させて取得する。
【００９７】
そして、特定被写体情報取得部６６２は、画像格納部６０４が格納している画像を表示して、ユーザ１８０に提示する（Ｓ１００４）。そして、特定被写体情報取得部６６２は、Ｓ１００２において入力されたキャスティング情報が示す役割を持つ人物を含む画像を、ユーザ１８０に選択させて取得する（Ｓ１００６）。このとき特定被写体情報取得部６６２は、例えば選択された画像のファイル名を記憶しておく。そして、Ｓ１００６において選択された画像における当該人物の位置を入力させて取得する（Ｓ１００８）。例えば、特定被写体情報取得部６６２は、Ｌｅｆｔ、Ｃｅｎｔｅｒ、Ｒｉｇｈｔ等を示すボタンをユーザ１８０に押下させることによって、人物の位置をユーザ１８０に入力させてよい。そして、特定被写体情報取得部６６２は、Ｓ１００２において入力されたキャスティング情報が「Ｈｅｒｏ」であるか否かを判断する（Ｓ１０１０）。そして、特定被写体情報取得部６６２は、Ｓ１０１０においてキャスティング情報が「Ｈｅｒｏ」であると判断された場合には、当該人物の名前、生年月日をユーザ１８０から取得する（Ｓ１０１２）。
【００９８】
そして、特定被写体情報取得部６６２は、Ｓ１００２において入力されたキャスティング情報、Ｓ１００６において選択されたファイルのファイル名、及びＳ１００８において入力された位置、並びに、Ｓ１０１２において取得した名前及び生年月日を含む特定被写体情報を生成する（Ｓ１０１４）。なお、特定被写体情報取得部６６２は、Ｓ１０１０において、キャスティング情報がＨｅｒｏではないと判断された場合には、Ｓ１０１４に処理を移行し、Ｓ１００２において入力されたキャスティング情報、Ｓ１００６において選択されたファイルのファイル名、及びＳ１００８において入力された位置を含む特定被写体情報を生成する。
【００９９】
そして、特定被写体情報取得部６６２は、他の人物の特定被写体情報を入力するか否かをユーザ１８０に提示して、ユーザ１８０からの入力によって、他の人物のキャスティング情報を入力する旨をするか否かを判断する（Ｓ１０１６）。Ｓ１０１６において他の人物のキャスティング情報を入力する旨を判断した場合には、Ｓ１００２に移行して、他の人物のキャスティング情報を入力させる。特定被写体情報取得部６６２は、Ｓ１０１６において他の人物のキャスティング情報を入力しない旨を判断した場合には、処理を終了する。なお、キャスティング情報がＨｅｒｏである人物が本実施形態における指定人物であり、アルバムにおける主人公となる。また、特定被写体情報が入力された人物が、指定人物に関連する人物である関連人物となる。
【０１００】
以上説明したように、アルバム作成装置１９２は、ユーザ１８０からアルバムに登場させるべき人物とそのアルバムにおける役割を指定させることによって、アルバムにおける人物の役割を取得する。このため、アルバム作成装置１９２は、アルバムにおける人物の役割に応じて、アルバムにおける画像のレイアウトを適切に決定することができる。
【０１０１】
図１１は、特定被写体情報の内容の一例を示す。特定被写体情報１１０２、１１０４、及び１１０６は、それぞれアルバムにおける主人公、主人公の兄弟、及び主人公の友人を示す特定被写体情報である。特定被写体情報１１０２、１１０４、及び１１０６は、人物の名前を示すＮａｍｅフィールド、画像のファイル名を示すＦｉｌｅフィールド、画像における位置を示すＰｏｓｉｔｉｏｎフィールド、キャスティング情報を示すＣａｓｔｉｎｇフィールド、生年月日を示すＤａｔｅ  ｏｆ  Ｂｉｒｔｈフィールドを持つ。主人公の特定被写体情報には名前及び生年月日といった個人的な情報が含まれるが、主人公以外の人物の特定被写体情報にはそれらの個人的な情報が含まれない。したがって、ユーザ１８０は、主人公以外の人物の個人情報を入力する必要がないので、キオスク端末で特定被写体情報を入力しているときに他人に覗き見られたり、インターネット等の通信回線を通じて特定被写体情報に含まれる各情報を入力した場合に通信回線上においてデータを盗み見られた場合の損害を低減することができる。また、特定被写体情報取得部６６２は、主人公を示す特定被写体情報については、入力された個人的な情報が暗号化された特定被写体情報を生成してもよい。
【０１０２】
図１２は、関連人物情報格納部６２４が格納している関連人物情報の一例を示す。関連人物情報格納部６２４は、例えば関連人物情報格納部２２４から受け取った関連人物情報の他に、それぞれの人物識別情報が示す人物のキャスティング情報、及びキャスティング情報に基づく関連度を格納する。例えば、関連人物情報格納部６２４は、特定被写体情報取得部６６２から取得されたキャスティング情報に基づいて、人物識別情報Ａ、Ｂ、及びＣに対応づけてそれぞれＨｅｒｏ、Ｆｒｉｅｎｄ、及びＢｒｏｔｈｅｒを格納する。
【０１０３】
また、関連人物情報格納部６２４は更に、キャスティング情報に応じた関連度を、人物識別情報に対応づけて格納する。例えば、関連人物情報格納部６２４は、人物識別情報Ａに対応づけて、人物識別情報Ａで示される人物に対する関連度として、キャスティング情報がＢｒｏｔｈｅｒである人物（人物識別情報Ｃが示す人物）について、キャスティング情報がＦｒｉｅｎｄである人物（人物識別情報Ｂが示す人物）の関連度（３）より高い関連度（１０）を格納する。なお、関連人物情報格納部６２４は、キャスティング情報に対応づけて関連度を予め記憶しており、特定被写体情報取得部６６２が取得した特定被写体情報に含まれるキャスティング情報に対応づけて記憶している関連度を、人物識別情報のそれぞれに対応づけて格納してよい。
【０１０４】
また、特定被写体情報取得部６６２は、アルバムの閲覧者を示す旨のキャスティング情報を取得してよい。そして、関連人物情報格納部６２４は、アルバムの閲覧者である旨を示すキャスティング情報を持つ人物の人物識別情報に対応づけて、アルバムの閲覧者ではない旨を示すキャスティング情報を持つ人物の人物識別情報に対応づけられた関連度より大きい関連度を格納してよい。これにより、アルバム作成装置１９２は、アルバムの閲覧者が強調されたレイアウトのアルバムを作成することができる。したがって、アルバム作成装置１９２は、アルバムの閲覧者にとって望ましいレイアウトのアルバムを作成することができる。
【０１０５】
図１３は、アルバム作成部６３６が格納しているテンプレートの一例を示す。テンプレート１３０１はアルバムの裏表紙及び表紙のテンプレートの一例を示し、テンプレート１３０２〜１３０５は見開きページのテンプレートの一例を示す。テンプレートが示すそれぞれの画像枠には、画像枠にはめ込まれる画像に含まれる人物のキャスティング情報が定められている。例えば、テンプレート１３０１が示す画像枠１３１１及び１３１２には、ＣａｓｔｉｎｇフィールドがＨｅｒｏの人物を含む画像がはめ込まれる旨が定められている。また、テンプレート１３０５の画像枠１３５１〜１３５３には、それぞれＣａｓｔｉｎｇフィールドがＦａｔｈｅｒ、Ｍｏｔｈｅｒ、及びＢｒｏｔｈｅｒの人物を含む画像がはめ込まれる旨が定められている。
【０１０６】
なお、指定人物画像抽出部６６０は、ＨｅｒｏのＣａｓｔｉｎｇフィールドを持つ特定被写体情報のＦｉｌｅフィールドで示されるファイル名の画像における、当該特定被写体情報のＰｏｓｉｔｉｏｎフィールドの位置から所定の範囲の画像領域から、指定人物の画像を抽出する。そして、指定人物画像抽出部６６０は、画像格納部６０４が格納している画像に含まれる被写体と指定人物の画像とのマッチングによって、当該指定人物画像と所定の一致度以上の一致度で一致した被写体を含む画像を、指定人物画像として抽出する。同様に、画像選択部６３２は、Ｈｅｒｏ以外のＣａｓｔｉｎｇフィールドを持つ特定被写体情報に基づいて、関連人物の画像を選択することができる。
【０１０７】
そして、アルバム作成部６３６は、Ｈｅｒｏの画像をはめ込む旨が定められている画像枠に、指定人物画像抽出部６６０が抽出した画像の中から選択してはめ込む。また、アルバム作成部６３６は、Ｈｅｒｏ以外の画像をはめ込む旨が定められている画像枠に、画像選択部６３２が選択した画像の中から選択してはめ込む。
【０１０８】
なお、画像枠１３３２〜１３３５に定められているｒｅｌａｔｉｖｅｓとは、Ｆａｔｈｅｒ、Ｍｏｔｈｅｒ、Ｂｒｏｔｈｅｒ、及びＳｉｓｔｅｒを含む、家族を示すキャスティング情報の総称である。そして、アルバム作成部６３６は、ｒｅｌａｔｉｖｅｓが定められている画像枠に、Ｆａｔｈｅｒ、Ｍｏｔｈｅｒ、Ｂｒｏｔｈｅｒ、及びＳｉｓｔｅｒのいずれかをキャスティング情報として持つ人物を含む画像をはめ込む。
【０１０９】
また、テンプレートには、アルバムタイトル及びページタイトルを示すテキストの配置及び内容が予め定められている。例えば、テンプレート１３０１には、アルバムタイトルのテキストとして、＜Ｎａｍｅ＞'ｓ  Ｓｔｏｒｙが定められている。また、テンプレート１３０３及び１３０５には、それぞれ＜Ｎａｍｅ＞'ｓ  Ｆａｍｉｌｙ及びＭｅｍｂｅｒｓが定められている。
【０１１０】
なお、テンプレートで定められたタイトルのテキストには、テキストの少なくとも一部を、被写体特定情報に含まれるフィールドデータで置換すべき旨を示すテキスト置換情報が含まれている。例えば、１３０１及び１３０３で定められているタイトルのテキストには、Ｎａｍｅフィールドで置換すべき旨を示すテキスト置換情報＜Ｎａｍｅ＞が含まれている。そして、アルバム作成部６３６は、ＣａｓｔｉｎｇフィールドがＨｅｒｏである特定被写体情報で指定されるＮａｍｅフィールドのデータで、テキスト置換情報＜Ｎａｍｅ＞で示される部分のテキストを置換することによって、各タイトルのテキストを生成する。これにより、アルバム作成装置１９２は、指定された主人公に相応しいタイトルを用いることができる。以上説明したように、アルバム作成装置１９２は、ユーザ１８０から指定された特定被写体情報に応じた適切なレイアウトで画像が配置されたアルバムを作成することができる。
【０１１１】
図１４は、アルバム作成部６３６が生成したページのレイアウト結果１４０２及び１４０４の一例を示す。アルバム作成部６３６は、テンプレート１３０３で定められる画像枠１３３１〜１３３５に画像をはめ込むことによって、レイアウト結果１４０２及び１４０４で示されるレイアウトのページを作成する。アルバム作成部６３６は、指定人物画像抽出部６６０が抽出したＣａｓｔｉｎｇフィールドがＨｅｒｏを持つ人物を含む画像を、画像枠１３３１にはめ込む。そして、アルバム作成部６３６は、画像選択部６３２が選択した、Ｃａｓｔｉｎｇフィールドがｒｅｌａｔｉｖｅｓに含まれる値を持つ人物を含む画像を画像枠１３３２〜１３３５にはめ込む。これにより、レイアウト結果１４０２及び１４０４が得られる。
【０１１２】
なお、アルバム作成部６３６は、同一ページに含まれる画像枠１３３１〜１３３５に含まれる指定人物（ＣａｓｔｉｎｇフィールドがＨｅｒｏの人物）の面積が、指定人物以外の人物（ＣａｓｔｉｎｇフィールドがＨｅｒｏ以外の人物）の面積より大きくなるように、指定人物画像抽出部６６０が抽出した画像をトリミングしたトリミング画像を拡大して主画像の画像枠１３３１にはめ込んでよい。また、アルバム生成部６８０は、同一ページに含まれる画像枠１３３１〜１３３５に含まれる指定人物の数が、指定人物以外の人物の数より多くなるように、画像枠１３３２〜１３３５にはめ込む画像を選択してよい。
【０１１３】
レイアウト結果１４０４は、指定人物及び指定人物以外の人物を含む画像のレイアウト結果の一例である。指定人物画像抽出部６６０が指定人物及び指定人物以外の人物を含む画像を選択した場合に、トリミング画像生成部６７６は指定人物が中心となるように当該画像をトリミングする。そして、アルバム生成部６８０は、トリミング画像生成部６７６がトリミングした画像を画像枠１３３１にはめ込む。同様に、トリミング画像生成部６７６は、関連人物を複数含む画像から、より高い関連度に対応づけられた人物が中央にトリミングされたトリミング画像を生成してよい。このようにして、アルバム作成装置１９２は、指定人物、指定人物に関連度の高い人物が強調されたレイアウトのアルバムを作成することができる。
【０１１４】
図１５は、撮像装置１００の他の実施形態におけるブロック構成の一例を示す。本実施形態における撮像装置１００は、撮像画像に含まれる人物を識別する情報を、予めユーザ１８０から取得する。なお、本実施形態における撮像装置１００の利用環境は図１に関連して説明した利用環境と同様であるので、説明を省略する。撮像装置１００は、撮像部１６０２、画像格納部１６０４、人物判断部１６０６、人物識別情報入力部１６１０、画像格納制御部１６１２、人物抽出部１６１４、確認情報入力部１６２０、人数算出部１６４０、人物位置特定部１６４２、及び人物通知部１６４４を備える。
【０１１５】
人物識別情報入力部１６１０は、人物を示す人物識別情報をユーザ１８０に入力させる。人物識別情報入力部１６１０は、入力された人物識別情報を、揮発性メモリ等に記憶しておく。
【０１１６】
撮像部１６０２は、撮像画像を撮像する。このとき、人物判断部１６０６は、人物識別情報入力部１６１０から人物識別情報が入力されてから所定のタイミングまでの間に撮像部１６０２によって撮像画像が撮像された場合に、撮像部１６０２が撮像した撮像画像に人物が含まれるか否かを判断する。そして、画像格納部１６０４は、人物判断部１６０６が撮像部１６０２によって撮像された撮像画像に人物が含まれると判断した場合に、撮像部１６０２によって撮像された撮像画像と、人物識別情報入力部１６１０から入力された人物識別情報とを対応づけて格納する。具体的には、画像格納制御部１６１２が、撮像部１６０２によって撮像された撮像画像に人物が含まれると人物判断部１６０６が判断した場合に、撮像部１６０２によって撮像された撮像画像と人物識別情報入力部１６１０から入力された人物識別情報とを対応づけて画像格納部１６０４に格納させる。
【０１１７】
なお、人物識別情報入力部１６１０は、複数の人物をそれぞれ示す複数の人物識別情報をユーザ１８０に入力させてよい。この場合、画像格納部１６０４は、人物判断部１６０６が撮像部１６０２によって撮像された撮像画像に人物が含まれると判断した場合に、撮像部１６０２によって撮像された撮像画像と、人物識別情報入力部１６１０から入力された複数の人物識別情報とを対応づけて格納する。
【０１１８】
なお、人数算出部１６４０は、人物判断部１６０６が撮像部１６０２によって撮像された撮像画像に人物が含まれると判断した場合に、撮像部１６０２によって撮像された撮像画像に含まれる人物の数を算出する。そして、画像格納制御部１６１２は、人物判断部１６０６が撮像部１６０２によって撮像された撮像画像に人物が含まれると判断した場合に、人数算出部１６４０が算出した人数が人物識別情報入力部１６１０から入力された人物識別情報の数以上であることを条件として、撮像部１６０２によって撮像された撮像画像と、人物識別情報入力部１６１０から入力された複数の人物識別情報とを対応づけて画像格納部１６０４に格納させてよい。
【０１１９】
なお、人物抽出部１６１４は、人物識別情報入力部１６１０において、人物を示す人物識別情報がユーザ１８０から入力された場合に、撮像部１６０２が撮像画像を撮像する前に撮像部１６０２によって撮像される予備画像の予め定められた所定の領域から人物を抽出する。人物抽出部１６１４は、例えば予備画像の中央を含む所定の範囲の領域、フォーカスが合っている点から所定の範囲の領域から、人物を抽出する。そして、人物位置特定部１６４２は、人物抽出部１６１４が抽出した人物と、撮像部１６０２が撮像した撮像画像に含まれる人物とをマッチングすることによって、撮像部１６０２が撮像した撮像画像における人物の位置を特定する。そして、画像格納部１６０４は、撮像部１６０２によって撮像された撮像画像と、人物識別情報入力部１６１０から入力された人物識別情報及び人物位置特定部１６４２が特定した人物の位置とを対応づけて格納する。
【０１２０】
なお、予備画像とは、ユーザ１８０が、画像を撮像することができる状態に撮像装置１００を設定している場合に、連続的に撮像される画像であってよい。撮像装置１００は、これらの予備画像を、ユーザ１８０が撮像範囲を確認したり、撮像条件を設定したりするためのモニタ画像として撮像装置１００のモニタ画面に表示する。
【０１２１】
なお、人物通知部１６４４は、人物識別情報を、人物判断部１６０６が判断した人物に対応づけてユーザ１８０に通知する。そして、確認情報入力部１６２０は、人物通知部が通知した人物識別情報が、人物判断部１６０６によって判断された人物を示すか否かを、人物判断部１６０６が判断した人物に対応づけてユーザ１８０から入力させる。そして、画像格納制御部１６１２は、確認情報入力部１６２０から入力された確認情報が、人物通知部が通知した人物識別情報が人物判断部１６０６によって判断された人物を示す場合に、撮像部１６０２によって撮像された撮像画像と人物通知部が通知した人物識別情報とを対応づけて画像格納部１６０４に格納させる。
【０１２２】
図１６は、撮像装置１００が人物識別情報を記録する処理フローの一例を示す。人物識別情報入力部１６１０は、人物識別情報をユーザ１８０から入力する（Ｓ１７０２）。人物識別情報入力部１６１０は、画像格納部１６０４が画像に対応づけて既に格納している人物識別情報の一覧の中からユーザ１８０に選択させてよい。他にも、人物識別情報入力部１６１０は、親、兄弟、友達等、予め定められた人物関係を示す人物識別情報をユーザ１８０に提示して、選択させてもよい。なお、人物識別情報入力部１６１０は、アルバム作成装置１９２がアルバムを作成する際にユーザ１８０に入力させるキャスティング情報を、人物識別情報として入力させてもよい。また、人物識別情報入力部１６１０は、ユーザ１８０の発する音声を解析することによってユーザ１８０が発した言葉を特定して、特定した言葉を人物識別情報として入力してもよい。
【０１２３】
そして、人物抽出部１６１４は、人物識別情報入力部１６１０から人物識別情報が入力されたタイミングにおいて、撮像部１６０２によって撮像された予備画像における所定の領域から人物を抽出する（Ｓ１７０４）。なお、人物抽出部１６１４は、ユーザ１８０が撮像装置１００のレリーズボタンを半押ししたタイミングで予備画像を取得して、当該予備画像における所定の領域から人物を抽出してよい。例えば撮像装置１００は、撮像装置１００の予備画像を表示するモニタ画面の所定の位置にマークを表示させて、当該マークに合わせてユーザ１８０がレリーズボタンを半押しすると、当該マークの位置を含む所定の範囲の領域の画像から人物を抽出する。これにより、撮像装置１００は、人物識別情報が入力される際のユーザ１８０の意図を適切に判断することができる。
【０１２４】
そして、撮像部１６０２は、ユーザ１８０の指示により撮像画像を撮像する（Ｓ１７０６）。そして、人物判断部１６０６は、撮像画像に人物が含まれるか否かを判断する（Ｓ１７０８）。Ｓ１７０８において、人物判断部１６０６が撮像画像に人物が含まれると判断した場合、人数算出部１６４０は、撮像画像に含まれる人物の数をカウントする（Ｓ１７１０）。そして、人物位置特定部１６４２は、Ｓ１７０６において撮像された撮像画像に含まれる人物の位置を特定する（Ｓ１７１２）。
【０１２５】
そして、画像格納制御部１６１２は、Ｓ１７０２において人物識別情報が入力された人数及びＳ１７１０においてカウントされた人数が共に１であるか否かを判断する（Ｓ１７１４）。Ｓ１７１４において、画像格納制御部１６１２が人物識別情報が入力された人数及びカウントされた人数が共に１であると判断した場合、画像格納制御部１６１２は、Ｓ１７０２において入力された人物識別情報及び人物位置特定部１６４２が特定した人物の位置を含む情報を、Ｓ１７０６において撮像された撮像画像に付帯させるタグ情報として生成する（Ｓ１７１６）。そして、画像格納制御部１６１２は、Ｓ１７１４において生成したタグ情報を、撮像画像に付帯させて画像格納部１６０４に格納させる（Ｓ１７１８）。
【０１２６】
なお、Ｓ１７１４において、画像格納制御部１６１２が人物識別情報が入力された人数又はカウントされた人数のいずれかが１でない旨を判断した場合、人物通知部１６４４は、Ｓ１７０４において抽出された人物の画像と、Ｓ１７０６において撮像された撮像画像に含まれる人物の画像とをマッチングすることによって、撮像画像に含まれる人物の中のうち最も高い一致度で一致した人物を通知する（Ｓ１７２０）。このとき、人物通知部１６４４は、Ｓ１７０２において入力された人物識別情報毎に、最も高い一致度で一致した人物を通知する。
【０１２７】
そして、確認情報入力部１６２０は、提示した人物識別情報と、撮像画像に含まれる人物とが一致しているか否かを示す確認情報を入力させる（Ｓ１７２２）。そして、画像格納制御部１６１２は、Ｓ１７２２において入力された確認情報から、一致している旨の確認情報が入力されたか否かを判断する（Ｓ１７２４）。画像格納制御部１６１２は、Ｓ１７２４において一致している旨の確認情報が入力されたことを判断した場合にはＳ１７１６に処理を移行し、一致している旨の確認情報が入力された人物の人物識別情報と、当該人物の撮像画像における位置を含むタグ情報を生成する。また、画像格納制御部１６１２は、Ｓ１７２２において一致している旨の確認情報が入力されなかった旨を判断した場合には、Ｓ１７１８に処理を移行し、付帯されたタグ情報に人物識別情報が含まれない撮像画像を画像格納部１６０４に格納させる。
【０１２８】
なお、Ｓ１７０８において人物判断部１６０６が撮像画像に人物が含まれない旨を判断した場合、画像格納制御部１６１２はＳ１７１８に処理を移行して、タグ情報として人物識別情報が含まれない撮像画像を、画像格納部１６０４に格納させる。なお、Ｓ１７１４において、入力された人物識別情報の数よりカウントされた人物の数が少ない場合には、画像格納制御部１６１２はＳ１７１８に処理を移行して、タグ情報として人物識別情報が含まれない撮像画像を、画像格納部１６０４に格納させてもよい。
【０１２９】
図１７は、確認情報入力部１６２０による人物の確認画面の一例を示す。予備画像１８０１及び１８０２は、人物識別情報を登録すべくユーザ１８０がレリーズボタンを半押ししたタイミングで撮像部１６０２が撮像した予備画像の一例を示す。また、画像１８１１及び１８１２は、確認情報入力部１６２０による確認画面の一例を示す。なお、本例では、予備画像１８０１及び１８０２に対して、それぞれ「Ｎａｎａ」及び「Ｂｒｏｔｈｅｒ」が人物識別情報として人物識別情報入力部１６１０から入力されたとする。
【０１３０】
人物抽出部１６１４は、予備画像１８０１における中央の領域１８０５から人物を抽出する。例えば、人物抽出部１６１４は、中央の領域１８０５に含まれる被写体と予め定められた人物のパターンとのパターンマッチング等によって、領域１８０５から人物の画像を抽出する。そして、人物抽出部１６１４は、抽出した当該人物の画像を記憶しておく。また、人物通知部１６４４は、人物識別情報入力部１６１０から入力された人物識別情報「Ｎａｎａ」を記憶しておく。
【０１３１】
そして、レリーズボタンが半押しされてから所定のタイミングまでの間にユーザ１８０から撮像が指示されると、また、人物抽出部１６１４は撮像画像から人物を抽出する。そして、人物位置特定部１６４２は人物抽出部１６１４が撮像画像から抽出した人物の画像と、予備画像１８０１から抽出された人物の画像とをマッチングすることによって、予備画像１８０１から抽出された人物の画像と所定の一致度より高い一致度で一致し、かつ最も高い一致度で一致する人物の画像を検索する。本図の例では、被写体１８１４が検索される。そして、人物位置特定部１６４２は、当該人物の重心の位置を特定する。
【０１３２】
そして、人物通知部１６４４は、撮像部１６０２が撮像した撮像画像を撮像装置１００のモニタ画面等に表示するとともに、人物位置特定部１６４２が特定した人物の位置の近傍に、入力された人物識別情報「Ｎａｎａ」を表示する等して、当該被写体が「Ｎａｎａ」で識別される人物であるか否かをユーザ１８０に確認させる。そして、確認情報入力部１６２０は、当該被写体が人物識別情報「Ｎａｎａ」で識別される人物であるか否かを示す入力を受け付ける。例えば、確認情報入力部１６２０は、撮像装置１００に設けられた確認ボタンの押下等によって、人物識別情報「Ｎａｎａ」で識別される人物であるか否かを入力させる。
【０１３３】
そして、画像格納制御部１６１２は、人物識別情報入力部１６１０から人物識別情報「Ｎａｎａ」で識別される人物である旨が入力されると、人物識別情報「Ｎａｎａ」及び人物位置特定部１６４２が特定した位置を、撮像画像のタグ情報として画像格納部１６０４に格納させる。
【０１３４】
なお、確認情報入力部１６２０は、モニタ画面に設けられたタッチパネル等の入力装置によって、モニタ画面に表示された撮像画像上において、人物識別情報「Ｎａｎａ」で識別される人物の位置をユーザ１８０に入力させてもよい。このとき、確認情報入力部１６２０は、人物識別情報「Ｎａｎａ」で識別される人物の位置が入力された場合に、当該位置の入力を、確認情報として画像格納制御部１６１２に供給してよい。そして、画像格納制御部１６１２は、供給された位置及び人物識別情報「Ｎａｎａ」を、撮像画像のタグ情報として画像格納部１６０４に格納させてよい。このようにして、撮像装置１００は人物の位置の修正を受け付けることができる。
【０１３５】
同様にして、撮像装置１００は、予備画像１８０２における中央の領域１８０６から人物を抽出することによって、人物識別情報「Ｂｒｏｔｈｅｒ」の入力後に撮像された画像１８１２から、人物識別情報「Ｂｒｏｔｈｅｒ」の位置を確認させることができる。以上説明したように、撮像装置１００によると、レリーズボタンを半押しして人物を入力することによって、撮像画像に含まれる人物を識別する情報及び撮像画像における当該人物の位置を、確実かつ効率的に登録することができる。
【０１３６】
なお、撮像装置１００は、図１から図６にかけて説明した撮像装置１００の機能及び動作と、図１５から図１７にかけて説明した撮像装置１００の機能及び動作とを、組み合わした機能及び動作を有する構成を持つことができる。例えば、撮像装置１００は、撮像前に人物識別情報が入力されなかった人物について、図１から図６にかけて説明した撮像装置１００の機能及び動作によって、撮像後に人物識別情報を登録することができる。
【０１３７】
以上説明したアルバム作成システム１７０によれば、撮像装置１００によって撮像した画像の被写体である人物を、当該画像に簡単に記録しておくことができる。そして、アルバム作成装置１９２は、撮像装置１００から画像を受け取って、アルバムの主人公にとって身近な人物が主要被写体として写っている画像を自動的に選択して、アルバムを作成することができる。このため、ユーザ１８０は、望ましい画像が収められたアルバムを手軽に作成することができる。
【０１３８】
図１８は、撮像装置１００及びアルバム作成装置１９２に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【０１３９】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【０１４０】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１００又はアルバム作成装置１９２と通信し、撮像装置１００又はアルバム作成装置１９２にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【０１４１】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【０１４２】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１００又はアルバム作成装置１９２に送信される。撮像装置１００又はアルバム作成装置１９２に送信されたプログラムは、撮像装置１００又はアルバム作成装置１９２においてインストールされて実行される。
【０１４３】
撮像装置１００にインストールされて実行されるプログラムは、撮像装置１００を、図１から図６において説明した撮像部２０２、画像格納部２０４、人物判断部２０６、入力通知部２０８、人物識別情報入力部２１０、画像格納制御部２１２、人物画像抽出部２１４、人物識別情報検索部２１８、確認情報入力部２２０、検索人物通知部２２２、関連人物情報格納部２２４、人物識別情報選択部２３０、人物群記録部２３２、及び人物群選択部２３４として機能させる。また、当該プログラムは、撮像装置１００を、図１５から１７にかけて説明した撮像部１６０２、画像格納部１６０４、人物判断部１６０６、人物識別情報入力部１６１０、画像格納制御部１６１２、人物抽出部１６１４、確認情報入力部１６２０、人数算出部１６４０、人物位置特定部１６４２、及び人物通知部１６４４として機能させる。また、アルバム作成装置１９２にインストールされて実行されるプログラムは、アルバム作成装置１９２を、図１、図７から１４において説明した画像格納部６０４、関連人物情報格納部６２４、画像選択部６３２、関連人物情報抽出部６３４、指定人物画像抽出部６６０、特定被写体情報取得部６６２、及びアルバム作成部６３６として機能させる。また、当該プログラムは、アルバム作成部６３６を、面積算出部６７２、画像分類部６７０、人物判断部６７４、トリミング画像生成部６７６、及びアルバム生成部６８０として機能させる。
【０１４４】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【０１４５】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【０１４６】
【図１】画像出力システム１９０の利用環境の一例を示す図である。
【図２】画像出力システム１９０のブロック構成の一例を示す図である。
【図３】画像格納部２０４が格納しているデータの一例をテーブル形式で示す図である。
【図４】関連人物情報格納部２２４が格納しているデータの一例をテーブル形式で示す図である。
【図５】人物識別情報を記録する処理フローの一例を示す図である。
【図６】人物群記録部２３２が格納しているデータの一例をテーブル形式で示す図である。
【図７】アルバム作成装置１９２のブロック構成の一例を示す図である。
【図８】アルバム作成部６３６のブロック構成の一例を示す図である。
【図９】アルバムを作成する処理フローの一例を示す図である。
【図１０】特定被写体情報を取得する処理フローの一例を示す。
【図１１】特定被写体情報の内容の一例を示す。
【図１２】関連人物情報の一例を示す。
【図１３】アルバム作成部６３６が格納しているテンプレートの一例を示す。
【図１４】アルバムのページのレイアウト結果の一例を示す。
【図１５】撮像装置１００の他の実施形態におけるブロック構成の一例を示す。
【図１６】撮像装置１００が人物識別情報を記録する処理フローの一例を示す。
【図１７】確認情報入力部１６２０による人物の確認画面の一例を示す。
【図１８】撮像装置１００及びアルバム作成装置１９２に係るコンピュータ１５００のハードウェア構成の一例を示す図である。
【符号の説明】
【０１４７】
１００  撮像装置
１５０  通信回線
１７０  アルバム作成システム
１８０  ユーザ
１９２  アルバム作成装置
２０２  撮像部
２０４  画像格納部
２０６  人物判断部
２０８  入力通知部
２１０  人物識別情報入力部
２１２  画像格納制御部
２１４  人物画像抽出部
２１８  人物識別情報検索部
２２０  確認情報入力部
２２２  検索人物通知部
２２４  関連人物情報格納部
２３０  人物識別情報選択部
２３２  人物群記録部
２３４  人物群選択部
６０４  画像格納部
６２４  関連人物情報格納部
６３２  画像選択部
６３４  関連人物情報抽出部
６３６  アルバム作成部
６６０  指定人物画像抽出部
６６２  特定被写体情報取得部
６７０  画像分類部
６７２  面積算出部
６７４  人物判断部
６７６  トリミング画像生成部
６８０  アルバム生成部
１６０２  撮像部
１６０４  画像格納部
１６０６  人物判断部
１６１０  人物識別情報入力部
１６１２  画像格納制御部
１６１４  人物抽出部
１６２０  確認情報入力部
１６４０  人数算出部
１６４２  人物位置特定部
１６４４  人物通知部
【図１】
2006295889.tif 000003
【図２】
2006295889.tif 000004
【図３】
2006295889.tif 000005
【図４】
2006295889.tif 000006
【図５】
2006295889.tif 000007
【図６】
2006295889.tif 000008
【図７】
2006295889.tif 000009
【図８】
2006295889.tif 000010
【図９】
2006295889.tif 000011
【図１０】
2006295889.tif 000012
【図１１】
2006295889.tif 000013
【図１２】
2006295889.tif 000014
【図１３】
2006295889.tif 000015
【図１４】
2006295889.tif 000016
【図１５】
2006295889.tif 000017
【図１６】
2006295889.tif 000018
【図１７】
2006295889.tif 000019
【図１８】
2006295889.tif 000020